(57)【要約】スマート容器は、本体と、本体に取り付けられる、蓋とを備える。蓋は、開放位置と閉鎖位置との間で移動可能な弁を備える。スマート容器はさらに、開放位置と閉鎖位置との間で弁を移動させるように構成される、アクチュエータと、ユーザを検出するように構成される、センサと、センサおよびアクチュエータに通信可能に結合される、制御回路とを備える。制御回路は、感知される条件を示す信号をセンサから受信し、感知される条件が、開放状態に対応するとき、アクチュエータに信号を送信するように構成される。
2021533958.tif 000002
【特許請求の範囲】
【請求項１】
スマート容器であって、
本体と、
前記本体に取り付けられる蓋であって、前記蓋は、開放位置と閉鎖位置との間で移動可能な弁を備える、蓋と、
前記開放位置と前記閉鎖位置との間で前記弁を移動させるように構成されるアクチュエータと、
前記本体または前記蓋との接触を検出するように構成されるセンサであって、前記センサは、ユーザ入力を受信するように構成されるタッチ感応インターフェースを備える、センサと、
前記センサおよび前記アクチュエータに通信可能に結合される制御回路であって、前記制御回路は、
感知される条件を示す信号を前記センサから受信することであって、前記感知される条件は、前記ユーザ入力を含む、ことと、
前記感知される条件が開放状態に対応するとき、前記アクチュエータに信号を送信することであって、前記感知される条件は、前記ユーザ入力が一意のコードを含むとき、前記開放状態に対応する、ことと
を行うように構成される、制御回路と
を備える、スマート容器。
【請求項２】
前記感知される条件は、具体的個人の識別を含む、請求項１に記載のスマート容器。
【請求項３】
前記感知される条件は、ユーザによって打ち込まれるタッチパターンを含む、請求項１に記載のスマート容器。
【請求項４】
前記弁の移動を選択的に拘束するように構成される機械的ロックをさらに備える、請求項１〜３のいずれか１項に記載のスマート容器。
【請求項５】
前記本体に前記蓋を選択的に固着させるように構成される機械的ロックをさらに備える、請求項１〜４のいずれか１項に記載のスマート容器。
【請求項６】
前記制御回路は、プロセッサと、前記プロセッサに通信可能に結合されるメモリとを備える、請求項１〜５のいずれか１項に記載のスマート容器。
【請求項７】
前記制御回路は、所定の時間周期にわたって前記弁が前記開放位置から前記閉鎖位置に移動することを防止するようにさらに構成される、請求項１〜６のいずれか１項に記載のスマート容器。
【請求項８】
前記スマート容器の前記本体は、内容物を備え、前記制御回路は、所定の量の内容物が前記スマート容器から分注されるまで、前記弁が前記開放位置から前記閉鎖位置に移動することを防止するようにさらに構成される、請求項１〜７のいずれか１項に記載のスマート容器。
【請求項９】
スマート容器であって、
本体部分と、
前記本体部分に除去可能に取り付けられる蓋部分であって、前記蓋部分は、開放構成および閉鎖構成に構成可能な弁アセンブリを備え、前記スマート容器の内容物は、前記弁アセンブリが前記開放構成にあるとき、前記スマート容器から流出することが可能であり、前記スマート容器の前記内容物は、前記弁アセンブリが前記閉鎖構成にあるとき、前記スマート容器から流出することができない、蓋部分と、
前記開放構成と前記閉鎖構成との間で前記弁アセンブリを移動させるように構成されるアクチュエータと、
ある条件を検出するように構成されるセンサであって、前記センサは、ユーザ入力を受信するように構成されるタッチ感応インターフェースを備え、前記検出される条件は、前記ユーザ入力を含む、センサと、
前記センサおよび前記アクチュエータと通信する制御システムであって、前記制御システムは、
前記検出される条件を示す第１の信号を前記センサから受信することと、
前記検出される条件が一意のコードに対応するとき、前記弁アセンブリを前記開放構成に促すための第２の信号を前記アクチュエータに送信することと
を行うように構成される、制御システムと
を備える、スマート容器。
【請求項１０】
前記検出される条件は、具体的個人の識別を含む、請求項９に記載のスマート容器。
【請求項１１】
前記検出される条件は、ユーザによって打ち込まれるタッチパターンを含む、請求項９に記載のスマート容器。
【請求項１２】
前記弁アセンブリの移動を選択的に拘束するように構成される機械的ロックをさらに備える、請求項９〜１１のいずれか１項に記載のスマート容器。
【請求項１３】
前記本体部分に前記蓋部分を選択的に固着させるように構成される機械的ロックをさらに備える、請求項９〜１２のいずれか１項に記載のスマート容器。
【請求項１４】
前記制御システムは、所定の時間周期にわたって前記弁アセンブリが前記開放構成から前記閉鎖構成に遷移することを防止するようにさらに構成される、請求項９〜１３のいずれか１項に記載のスマート容器。
【請求項１５】
前記制御システムは、所定の量の内容物が前記スマート容器から分注されるまで、前記弁アセンブリが前記開放構成から前記閉鎖構成に遷移することを防止するようにさらに構成される、請求項９〜１４のいずれか１項に記載のスマート容器。
【請求項１６】
スマート容器であって、
その中に内容物を貯蔵するように構成される本体と、
前記本体に選択的に係止可能である蓋であって、前記蓋は、開放構成および閉鎖構成に構成可能な弁アセンブリを備え、前記スマート容器の前記内容物は、前記蓋が前記閉鎖構成にあるとき、前記スマート容器から外に分注することを防止される、蓋と、
前記開放構成と前記閉鎖構成との間で前記弁アセンブリを移動させるように構成されるアクチュエータと、
ユーザの特性を検出するように構成されるセンサであって、前記センサは、口唇紋センサを備える、センサと、
前記アクチュエータおよび前記センサと通信するコントローラであって、前記コントローラは、
前記検出される特性を表す信号を受信することと、
前記検出される特性が開放状態に対応するとき、前記弁アセンブリを前記開放構成に促すための信号を前記アクチュエータに送信することと
を行うように構成される、コントローラと
を備える、スマート容器。
【請求項１７】
前記蓋部分を通して前記本体部分に向かって延在するストローをさらに備え、前記ストローは、センサと、自動的ポンプとを備え、前記ストローは、前記ユーザの特性が認証されると、前記スマート容器の前記内容物を前記ユーザに圧送するように構成される、請求項１６に記載のスマート容器。
【請求項１８】
前記アクチュエータは、ソレノイドを備える、請求項１６〜１７のいずれか１項に記載のスマート容器。
【請求項１９】
前記コントローラは、所定の時間周期にわたって前記弁アセンブリが前記開放構成から前記閉鎖構成に平行移動することを防止するようにさらに構成される、請求項１６〜１８のいずれか１項に記載のスマート容器。
【請求項２０】
前記コントローラは、所定の量の内容物が前記スマート容器から分注されるまで、前記弁アセンブリが前記開放構成から前記閉鎖構成に平行移動することを防止するようにさらに構成される、請求項１６〜１９のいずれか１項に記載のスマート容器。
【請求項２１】
前記一意のコードは、前記スマート容器の認可されたユーザと関連付けられる、請求項１〜８のいずれか１項に記載のスマート容器。
【請求項２２】
前記制御回路は、前記認可されたユーザと関連付けられる制御プログラムを適合させるように構成され、前記制御プログラムは、前記開放位置と前記閉鎖位置との間で前記弁を移動させるように前記アクチュエータにコマンドする、請求項２１に記載のスマート容器。
【請求項２３】
前記スマート容器は、ユーザの特徴を検出するように構成される撮像センサをさらに備える、請求項１〜８のいずれか１項に記載のスマート容器。
【請求項２４】
前記撮像センサは、カメラを備え、前記検出される特徴は、前記ユーザの顔である、請求項２３に記載のスマート容器。
【発明の詳細な説明】
【背景技術】
【０００１】
（関連出願の相互参照）
本願は、上記に示されるものと同一の名称および発明者を有し、参照することによって本明細書に組み込まれる、２０１８年８月１０日に出願された、米国仮特許出願第６２／７１７，２６９号の優先権を主張する。
【発明の概要】
【課題を解決するための手段】
【０００２】
１つの一般的側面では、本開示は、スマート容器に関する。スマート容器は、本体と、本体に取り付けられる、蓋とを備える。蓋は、開放位置と閉鎖位置との間で移動可能な弁を備える。スマート容器はさらに、開放位置と閉鎖位置との間で弁を移動させるように構成される、アクチュエータと、本体との接触を検出するように構成される、センサと、センサおよびアクチュエータに通信可能に結合される、制御回路とを備える。制御回路は、感知される条件を示す信号をセンサから受信し、感知される条件が、開放状態に対応するとき、アクチュエータに信号を送信するように構成される。
【０００３】
別の側面では、スマート容器は、本体部分と、本体部分に除去可能に取り付けられる、蓋部分とを備える。蓋部分は、開放構成および閉鎖構成に構成可能な弁アセンブリを備え、スマート容器の内容物は、弁アセンブリが、開放構成にあるとき、スマート容器から流出することが可能であり、スマート容器の内容物は、弁アセンブリが、閉鎖構成にあるとき、スマート容器から流出することができない。スマート容器はさらに、開放構成と閉鎖構成との間で弁アセンブリを移動させるように構成される、アクチュエータと、ある条件を検出するように構成される、センサと、センサおよびアクチュエータと通信する、制御システムとを備える。制御システムは、検出される条件を示す第１の信号をセンサから受信し、検出される条件が、スマート容器の認可されたユーザに対応するとき、弁アセンブリを開放構成に促すための第２の信号をアクチュエータに送信するように構成される。
【０００４】
別の側面では、スマート容器は、その中に内容物を貯蔵するように構成される、本体と、本体に選択的に係止可能である、蓋とを備える。蓋は、開放構成および閉鎖構成に構成可能な弁アセンブリを備え、スマート容器の内容物は、蓋が、閉鎖構成にあるとき、スマート容器から外に分注することを防止される。スマート容器はさらに、開放構成と閉鎖構成との間で弁アセンブリを移動させるように構成される、アクチュエータと、ユーザの特性を検出するように構成される、センサと、アクチュエータおよびセンサと通信する、コントローラとを備える。コントローラは、検出される特性を表す信号を受信し、検出される特性が、開放状態に対応するとき、弁アセンブリを開放構成に促すための信号をアクチュエータに送信するように構成される。
【図面の簡単な説明】
【０００５】
本明細書に説明される実施形態の種々の特徴が、特に、添付される請求項に記載される。しかしながら、種々の実施形態は、編成および動作の方法の両方に関して、その利点とともに、以下のような付随の図面と併せて検討される以下の説明に従って理解され得る。
【０００６】
【図１】図１は、本開示の少なくとも１つの側面による、スマート容器の斜視図である。
【０００７】
【図２】図２は、本開示の少なくとも１つの側面による、スマート容器の種々の通信経路の概略図である。
【０００８】
【図３】図３は、本開示の少なくとも１つの側面による、複数のセンサを備える、スマート容器の断面図である。
【０００９】
【図４】図４は、本開示の少なくとも１つの側面による、スマート容器との併用のための電源の斜視図である。
【００１０】
【図５】図５は、本開示の少なくとも１つの側面による、閉鎖構成におけるスマート容器の弁アセンブリの部分断面図である。
【００１１】
【図６】図６は、本開示の少なくとも１つの側面による、開放構成における図５の弁アセンブリの部分断面図である。
【００１２】
【図７】図７は、本開示の少なくとも１つの側面による、弁アセンブリが、変形可能部材を備え、弁アセンブリが、閉鎖構成にある、スマート容器の弁アセンブリの断面図である。
【００１３】
【図８】図８は、本開示の少なくとも１つの側面による、開放構成における図７の弁アセンブリの断面図である。
【００１４】
【図９】図９は、本開示の少なくとも１つの側面による、弁アセンブリが、ソレノイドと、手動オーバーライドとを備える、閉鎖構成におけるスマート容器の弁アセンブリの断面図である。
【００１５】
【図１０】図１０は、本開示の少なくとも１つの側面による、開放構成における図９の弁アセンブリの断面図である。
【００１６】
【図１１】図１１は、本開示の少なくとも１つの側面による、弁アセンブリのためのラッチ接続機構の部分断面図である。
【００１７】
【図１２】図１２は、本開示の少なくとも１つの側面による、開放および閉鎖プロセスの間の図１１の弁アセンブリによって辿られる経路の概略表現である。
【００１８】
【図１３】図１３は、本開示の少なくとも１つの側面による、開放および閉鎖プロセスの間の図１１の弁アセンブリによって辿られる経路の概略表現である。
【００１９】
【図１４】図１４は、本開示の少なくとも１つの側面による、弁アセンブリが閉鎖構成にあるときの図１１のラッチ接続機構の部分断面図である。
【００２０】
【図１５】図１５は、本開示の少なくとも１つの側面による、弁アセンブリが閉鎖構成から下向きに平行移動されるときの図１４のラッチ接続機構の部分断面図である。
【００２１】
【図１６】図１６は、本開示の少なくとも１つの側面による、弁アセンブリが開放構成に向かって回転されるときの図１５のラッチ接続機構の部分断面図である。
【００２２】
【図１７】図１７は、本開示の少なくとも１つの側面による、弁アセンブリが開放構成に向かって上向きに平行移動されるときの図１６のラッチ接続機構の部分断面図である。
【００２３】
【図１８】図１８は、本開示の少なくとも１つの側面による、弁アセンブリが開放構成に回転されるときの図１７のラッチ接続機構の部分断面図である。
【００２４】
【図１９】図１９は、本開示の少なくとも１つの側面による、弁アセンブリが開放構成から下向きに平行移動されるときの図１８のラッチ接続機構の部分断面図である。
【００２５】
【図２０】図２０は、本開示の少なくとも１つの側面による、弁アセンブリが閉鎖構成に向かって回転されるときの図１９のラッチ接続機構の部分断面図である。
【００２６】
【図２１】図２１は、本開示の少なくとも１つの側面による、弁アセンブリが閉鎖構成に向かって上向きに平行移動されるときの図２０のラッチ接続機構の部分断面図である。
【００２７】
【図２２】図２２は、本開示の少なくとも１つの側面による、弁アセンブリが閉鎖構成に向かって回転されるときの図２１のラッチ接続機構の部分断面図である。
【００２８】
【図２３】図２３は、本開示の少なくとも１つの側面による、弁アセンブリが閉鎖構成に向かって上向きに平行移動されるときの図２２のラッチ接続機構の部分断面図である。
【００２９】
【図２４】図２４は、本開示の少なくとも１つの側面による、弁アセンブリが閉鎖構成に回転されるときの図２３のラッチ接続機構の部分断面図である。
【００３０】
【図２５】図２５は、本開示の少なくとも１つの側面による、ストローが、自動的ポンプを備える、ストローを備える容器の部分断面図である。
【００３１】
【図２６】図２６は、本開示の少なくとも１つの側面による、図２５のストローの断面図である。
【００３２】
【図２７】図２７は、本開示の少なくとも１つの側面による、統合ストローを備えるスマート容器の部分斜視図である。
【００３３】
【図２８】図２８は、本開示の少なくとも１つの側面による、蓋部分が、複数のセンサを備える、スマート容器の蓋部分の平面図である。
【００３４】
【図２９】図２９は、本開示の少なくとも１つの側面による、スマート容器の立面図である。
【００３５】
【図３０】図３０は、本開示の少なくとも１つの側面による、図２９のスマート容器の斜視図である。
【００３６】
【図３１】図３１は、本開示の少なくとも１つの側面による、スマート容器の蓋部分への取付のための環状リングの斜視図である。
【００３７】
【図３２】図３２は、本開示の少なくとも１つの側面による、図３１の環状リングの斜視図である。
【００３８】
【図３３】図３３は、本開示の少なくとも１つの側面による、スマート容器の蓋部分に取り付けられる図３１の環状リングの部分斜視図である。
【００３９】
【図３４】図３４は、本開示の少なくとも１つの側面による、スマート容器の弁アセンブリが閉鎖構成にあるときのラッチ接続機構の部分断面図である。
【００４０】
【図３５】図３５は、本開示の少なくとも１つの側面による、弁アセンブリが閉鎖構成から下向きに平行移動されるときの図３４のラッチ接続機構の部分断面図である。
【００４１】
【図３６】図３６は、本開示の少なくとも１つの側面による、弁アセンブリが開放構成に向かって回転されるときの図３５のラッチ接続機構の部分断面図である。
【００４２】
【図３７】図３７は、本開示の少なくとも１つの側面による、弁アセンブリが開放構成に向かって上向きに平行移動されるときの図３６のラッチ接続機構の部分断面図である。
【００４３】
【図３８】図３８は、本開示の少なくとも１つの側面による、弁アセンブリが開放構成に回転されるときの図３７のラッチ接続機構の部分断面図である。
【００４４】
【図３９】図３９は、本開示の少なくとも１つの側面による、スマート容器のラッチ接続機構の部分断面図である。
【００４５】
【図４０】図４０は、本開示の少なくとも１つの側面による、図３９のラッチ接続機構の上側ラッチの斜視図である。
【００４６】
【図４１】図４１は、本開示の少なくとも１つの側面による、図３９のラッチ接続機構の下側ラッチの斜視図である。
【００４７】
【図４２】図４２は、本開示の少なくとも１つの側面による、下側ラッチの回転を防止するように構成される整合ピンを備える、図３９のラッチ接続機構の部分断面図である。
【００４８】
【図４３】図４３は、本開示の少なくとも１つの側面による、閉鎖構成における図３９のラッチ接続機構の部分断面図である。
【００４９】
【図４４】図４４は、本開示の少なくとも１つの側面による、部分的開放構成における図３９のラッチ接続機構の部分断面図である。
【００５０】
【図４５】図４５は、本開示の少なくとも１つの側面による、開放構成における図３９のラッチ接続機構の部分断面図である。
【００５１】
【図４６】図４６は、本開示の少なくとも１つの側面による、スマート容器との併用のためのラッチ接続機構の部分断面図である。
【００５２】
対応する参照文字は、いくつかの図全体を通して対応する部分を示す。本明細書に記載される例示は、本発明の種々の実施形態を１つの形態において図示し、そのような例示は、いかようにも本発明の範囲を限定するものとして解釈されるものではない。
【発明を実施するための形態】
【００５３】
本明細書は、概して、例えば、所望のユーザ機能性を可能にするためのセンサ、モータ、ソレノイド、および／または通信機器を備える、飲料容器、蓋、ならびにストロー等の容器を対象とする。種々の事例では、そのような容器は、ユーザプログラム可能および／または選択可能特徴を備える。しかしながら、本明細書の内容は、そのような環境に限定されない。容器が、２０１８年４月２７日に出願され、「ＳＭＡＲＴ  ＤＲＩＮＫ  ＣＯＮＴＡＩＮＥＲ」と題された、米国特許出願第１５／７７１，４４６号（参照することによってその全体として本明細書に組み込まれる）に説明されている。
【００５４】
種々の実施形態では、本開示は、ユーザが容器の内容物および容器自体を保護することを可能にするセキュリティ特徴の概念を包含する。種々の事例では、容器は、係止解除し、ユーザが容器の内容物にアクセスすることを可能にすることに先立って、具体的ユーザ入力および／またはコードを受信するように構成される、タッチ感応インターフェースを備える。種々の事例では、スマート容器を係止解除するステップは、容器の内容物がユーザの口および／または環境の中に流出することを可能にするために、弁アセンブリを開放するステップを含む。種々の事例では、スマート容器を係止解除するステップは、弁アセンブリが付加的手段を通して開放されることを可能にするためのユーザの認証を含む。種々の事例では、容器は、例えば、顔および／または音声認識等の１つ以上のパラメータに基づいて、ユーザが、適切である、および／または認可されているかどうかを判定するように構成される、センサを備える。種々の事例では、容器は、例えば、ある時間周期にわたって、一口で摂取された液体の平均量等のユーザの具体的習慣を学習し、それに応じて制御プログラムを適合させるように構成される。
【００５５】
図１は、液体を貯蔵するための容器１００を図示する。容器１００は、内部空洞を備える、本体部分１０２を備え、内部空洞は、その中に液体を貯蔵および保定するように構成される。容器１００はさらに、蓋部分１０４を備える。種々の実施形態によると、蓋部分１０４は、自動的蓋であってもよい。種々の事例では、蓋部分１０４は、磁気要素の使用を通して自動化されてもよい。例えば、蓋部分１０４は、本体部分１０２上に位置付けられる磁気要素に引き付けられるように構成される、磁気要素を備えることができる。誘引性の磁場は、蓋部分１０４を本体部分１０２と整合させ、係合させるように引き寄せる。種々の事例では、蓋部分１０４は、蓋部分１０４が、所定の条件のセットが、満たされるとき、自動的に開放および閉鎖するように、プロセッサの制御下で自動化されることができる。そのような事例では、蓋部分１０４の種々の側面が、プログラム可能である。
【００５６】
蓋部分１０４は、１つ以上のセンサを備える。１つ以上のセンサのタイプおよび機能性が、本明細書により詳細に説明される。１つ以上のセンサによって監視される種々のパラメータおよび条件は、容器１００への無線および／または有線接続を通して制御されてもよく、制御システムによって制御されてもよい。制御システムは、例えば、１つ以上のセンサのステータス等の情報を受信する、または、例えば、蓋部分１０４を開放もしくは閉鎖するためのコマンド等の情報を送信するために、容器１００と通信するように構成される。センサと、制御システムと、容器の対応する機械的構造との間の相互作用が、本明細書により詳細に説明される。図２は、容器１００等のスマート容器の通信経路２００の例示的実施形態を表す。制御システム２１０は、容器の種々のコンポーネントの間の通信のための中心ハブであるように構成される。種々の事例では、一側面では、制御システム２１０は、例えば、プロセッサ、コントローラ、論理、ＦＰＧＡ等の本明細書に定義されるような制御回路を備える。いくつかの事例では、制御システム２１０は、プロセッサ２１２と、メモリ２１４とを備える。そのような事例では、メモリ２１４は、実行されると、プロセッサ２１２に、所望の様式で容器の機械的構造２２０を促させる命令を備える。種々の事例では、容器の１つ以上のセンサ２４０は、データを制御システム２１０に供給するように構成される。種々の事例では、ユーザが、容器から飲料を飲むとき、データが、収集される２３０。そのようなデータは、例えば、飲むことの持続時間および／または容器に残された液体の量を含むことができる。種々の事例では、制御システム２１０は、容器上のディスプレイ上に収集されたデータ２３０を表示するように構成される。そのような事例では、容器は、他の視覚的インジケータの中でも着目すべきこととして、ディスプレイ画面または発光ダイオード（ＬＥＤ）等の視覚的インジケータを備えることができる。制御システムは、収集されたデータ２３０および／または収集されたデータ２３０に基づく結論を容器のユーザに通信してもよい。例えば、容器は、容器内に残っている液体の検出されたオンス数、容器内の液体の検出された温度、および／または任意の他の検出されたデータを表示することができる。種々の事例では、制御システム２１０は、容器の機械的構造２２０を動作させるために、以前に集められたデータ２３０と組み合わせて、１つ以上のセンサ２４０から収集された情報を利用する。例えば、少なくとも１つの事例では、制御システム２１０は、機械的コンポーネントがカスタマイズされた時間周期にわたって容器の蓋部分を開放することをもたらすコマンドを発行するために、以前の使用から入手された記憶されたデータ２３０と組み合わせて、１つ以上のセンサ２４０から集められた情報をとることができる。
【００５７】
上記に議論されるように、１つ以上のセンサは、データを制御システムに供給するように構成される。図３に示されるように、１つ以上のセンサは、容器の蓋部分上に位置付けられるが、しかしながら、１つ以上のセンサは、スマート容器３００上の任意の好適な場所に位置付けられることができる。種々の事例では、１つ以上のセンサ３０２、３０８は、例えば、蓋部分３６０の外面３６２等の蓋部分の上部外面上に位置付けられる。１つ以上のセンサ３０４、３０６は、例えば、弁アセンブリ３６５の上面３６８等の蓋部分の弁機構の上部外面上に位置付けられることができる。種々の事例では、１つ以上のセンサ３３０、３３２、３４０は、例えば、本体部分３７０の内部空洞に面する表面等の蓋部分の内面上に位置付けられる。１つ以上のセンサ３３０、３４０は、本体部分３７０の内部空洞に面する弁アセンブリ３６５の表面上に位置付けられることができる。種々の事例では、１つ以上のセンサは、蓋部分の上面および底面の両方の上に位置付けられる。種々の事例では、１つ以上のセンサは、蓋部分内に位置付けられる。言い換えると、１つ以上のセンサは、容器３００の蓋部分３６０内に埋設されることができる。種々の事例では、１つ以上のセンサは、蓋部分３６０の外面３６２および／または弁アセンブリ３６５の外面３６８上に環状リングを形成するように位置付けられる。環状リングにおいて位置付けられるセンサは、ユーザのパラメータおよび／または条件が、蓋部分３６０の周囲の位置の３６０度範囲内で検出されることを可能にする。種々の事例では、蓋部分３６０は、ユーザ入力を受信するように構成される、タッチ感応インターフェースを備える。そのようなユーザ入力は、本明細書により詳細に議論される。
【００５８】
図３に示されるように、種々のセンサが、容器３００の蓋部分３６０の中に組み込まれる。蓋部分３６０の外面３６２は、口唇紋センサ３０２を備える。口唇紋センサ３０２は、ユーザが、蓋部分３６０をユーザの唇と接触させる際、ユーザの一意の口唇紋を検出するように構成される。外面３６２はさらに、容器３００の外側の周辺の温度を検出するように構成される、温度センサ３０８を備える。種々の事例では、検出された外部温度は、ユーザ選好に基づいて、容器の内容物の温度を加熱および／または冷却するために使用されることができる。弁アセンブリ３６５の外面３６８は、ユーザ入力を受信するように構成される、タッチセンサ３０４を備える。種々の事例では、タッチセンサ３０４は、ユーザ入力を検出し、ユーザ入力を容器３００の制御システムに通信するように構成される、タッチ感応インターフェースである。弁アセンブリ３６５の外面３６８はさらに、撮像センサおよび／またはカメラ３０６を備える。種々の事例では、カメラ３０６は、容器３００の内容物が本体部分３７０から流出することを可能にする前に、ユーザの顔等のユーザの特徴を検出するために使用されることができる。
【００５９】
容器３００はさらに、指紋センサ３１０ａ、３１０ｂを備えることができる。第１の指紋センサ３１０ａは、容器３００の蓋部分３６０上に位置付けられ、第２の指紋センサ３１０ｂは、容器３００の本体部分３７０上に位置付けられる。本明細書により詳細に説明されるように、指紋センサ３１０ａ、３１０ｂは、容器のユーザの指紋を検出することができる。制御システムは、次いで、ユーザが、容器３００の所有者および／または認可されたユーザであるかどうかを査定するように構成される。制御システムが、指紋センサ３１０ａ、３１０ｂによって検出されたデータに基づいて、ユーザを認証することが可能である場合、容器３００の内容物は、分注されることが可能である。
【００６０】
種々のセンサはまた、弁アセンブリ３６８の内面上にも位置付けられることができる。そのようなセンサは、弁アセンブリ３６８が、閉鎖構成にあるとき、および／または内容物が、容器から分注しているとき、容器の内容物と接触する。例えば、内部センサは、液体センサ３３０および／または圧力センサ３３２を含むことができる。センサは、蓋部分３６０および／または弁アセンブリ３６５内に位置付けられる、ならびに／もしくは埋設されることができる。例えば、埋設されるセンサは、ＬＩＤＡＲセンサ３２４、発光ダイオード（ＬＥＤ）３２０、および／または受光ダイオード３２２を含むことができる。そのようなセンサの機能性は、本明細書により詳細に説明される。
【００６１】
前述で言及されるように、１つ以上のセンサは、カメラ、光学センサ、および／または撮像デバイス３０６を備える。カメラ３０６は、容器の環境が捕捉されることを可能にするために、例えば、蓋部分３６０上等の容器３００上に搭載されてもよい。そのような事例では、カメラ３０６は、潜在的ユーザの画像を捕捉することができる。捕捉された画像が、顔認識技法を介して等、容器の所有者および／または承認されたユーザに対応する記憶された画像に合致する場合、制御システムは、係止解除されるように蓋部分にコマンドし、ユーザが容器の内容物を飲む、および／または容器を充填することを可能にすることができる。捕捉された画像が、容器の所有者および／または承認されたユーザに対応する記憶された画像に合致しない場合、制御システムは、係止されたままであるように蓋部分にコマンドすることができる。
【００６２】
種々の事例では、１つ以上のセンサは、指紋センサ３１０ａ、３１０ｂを備える。指紋センサ３１０ａ、３１０ｂは、例えば、光学系／撮像を使用することによって、電磁場（例えば、容量性、ＲＦ、誘導性等）を検出することによって、超音波検出を使用することによって、電気的、機械的、または電気機械的検出（例えば、ＣＭＯＳ、ＴＦＴ、ＭＥＭＳ、ＮＥＭＳ、圧電ナノワイヤ、カーボンナノチューブナノワイヤ等）を使用することによって、ならびに／もしくは熱検出を使用することによって等、任意の適切な様式で潜在的ユーザの指紋を検出することができる。種々の事例では、指紋センサ３１０ａは、容器３００の蓋部分３６０の側面に位置付けられる。種々の事例では、指紋センサ３１０ｂは、容器３００の本体部分３７０の側面に位置付けられる。種々の事例では、容器３００は、取っ手を備え、指紋センサは、その上に位置付けられる。しかしながら、指紋センサ３１０ａ、３１０ｂは、容器上の任意の好適な位置に位置付けられてもよい。検出された指紋が、容器の所有者および／または承認されたユーザに対応する記憶された指紋に合致する場合、制御システムは、開放するように弁アセンブリ３６５にコマンドし、ユーザが容器の内容物を飲む、および／または容器を充填することを可能にすることができる。検出された指紋が、容器の所有者および／または承認されたユーザに確かに合致する場合、制御システムは、係止解除されるように蓋部分３６０にコマンドし、ユーザが容器３００の本体部分３７０から蓋部分３６０を取り外すことを可能にすることができる。検出された指紋が、容器の所有者および／または承認されたユーザに対応する記憶された指紋に合致しない場合、制御システムは、係止構成のままであるように弁アセンブリ３６５にコマンドし、容器３００の内容物の分注を防止することができる。検出された指紋が、容器の所有者および／または承認されたユーザに対応する記憶された指紋に合致しない場合、制御システムは、係止されたままであるように蓋部分にコマンドし、それによって、認可されていないユーザが本体部分３７０から蓋部分３６０を除去することを防止することができる。
【００６３】
種々の事例では、１つ以上のセンサは、口唇紋センサ３０２を備える。口唇紋センサ３０２は、多くの点で、上記に説明される指紋センサ３１０ａ、３１０ｂに類似する。種々の事例では、口唇紋センサ３０２は、蓋部分３６０の外面３６２の周囲に環状リングにおいて位置付けられるが、口唇紋センサ３０２は、容器３００上の任意の好適な位置に位置付けられ得ることを理解されたい。口唇紋センサ３０２は、指紋を検出する際に使用される同一および／または類似するセンサを用いてユーザの唇を描写するように構成される。検出された口唇紋が、容器の所有者および／または承認されたユーザに対応する記憶された口唇紋に合致する場合、制御システムは、係止解除されるように弁アセンブリ３６５にコマンドし、ユーザが容器の内容物を飲むことを可能にすることができる。検出された口唇紋が、容器の所有者および／または承認されたユーザに対応する記憶された口唇紋に合致する場合、制御システムは、係止解除されるように蓋部分３６０にコマンドし、ユーザが容器を充填することを可能にすることができる。検出された口唇紋が、容器の所有者および／または承認されたユーザに対応する記憶された口唇紋に合致しない場合、制御システムは、係止されたままであるように弁アセンブリ３６５および／または蓋部分３６０にコマンドすることができる。
【００６４】
種々の事例では、１つ以上のセンサは、例えば、容量性および／または伝導性センサ等のタッチセンサ３０４を備える。容量性センサが、使用される事例では、容量性センサはまた、ユーザの一部が容器に近接する程度を検出するための近接センサとして使用されることができる。種々の事例では、制御システムは、ユーザが、容器３００から所定の距離内に来るとき、係止解除するように蓋部分３６０および／または弁アセンブリ３６５にコマンドすることができる。種々の事例では、制御システムは、ユーザが、容器３００から離れて所定の距離だけ移動するとき、自動的に係止するように蓋部分３６０および／または弁アセンブリ３６５にコマンドすることができる。
【００６５】
種々の事例では、１つ以上のセンサは、内部温度センサ３４０を備える。種々の事例では、容器は、複数の内部温度センサを備えることができる。種々の事例では、内部温度センサは、本体部分３７０の内部空洞の内側に、および／または本体部分３７０の内部空洞に面する蓋部分ならびに／もしくは弁アセンブリ３６５の底面上に位置付けられる。内部温度センサは、容器の内容物の温度を測定するように構成される。内部温度センサ３４０は、抵抗温度計および／または誘導性センサを備えることができる。種々の事例では、内部温度センサは、容器内の液体の温度を測定するように構成される。種々の事例では、内部温度センサは、容器内の大気の温度を測定するように構成される。そのような内部温度センサは、例えば、間接センサ（例えば、ＩＲ温度計、熱画像等）および／または直接センサ（例えば、サーミスタ、サーモカップル等）等の温度測定のための任意の好適なタイプのセンサであり得る。複数の直接センサが、複数の間接センサと組み合わせて使用される事例では、容器内の大気の温度および液体の温度の両方が、監視され、制御システムに通信されることができる。そのような事例では、大気および液体温度に関する監視されたデータは、（１）容器内の液体が高温または低温のままであろう時間ならびに／もしくは（２）潜在的圧力を計算するために使用されることができる。そのようなセンサはまた、蒸気が、容器３００の本体部分３７０内の大気中に存在するかどうかを判定することができる。種々の事例では、内部温度センサ３４０は、容器３００の本体部分３７０の内壁に沿って位置付けられる、複数の容量性センサを備える。そのような容量性センサのアレイは、制御システムが、容器３００内の液体のレベル（すなわち、容量性センサが、液体によって被覆されているかどうか）を把握することが可能であることを可能にする。制御システムは、次いで、具体的な所定の温度限界内に液体を維持するように構成される。温度監視に関する制御システムの付加的能力が、本明細書に議論される。
【００６６】
種々の事例では、１つ以上のセンサは、外部温度センサ３０８を備える。１つ以上の外部温度センサ３０８は、例えば、蓋部分３６０の外面３６２上等の容器の外面上に設置されることができる。例示的場所は、限定ではないが、弁アセンブリ３６５の外側、蓋部分３６０の外側、蓋の上部、蓋部分内、および／または電子コンパートメント内を含む。種々の事例では、１つ以上の外部温度センサ３０８は、例えば、ユーザが、容器３００に飲料を注ぐ、またはそれから飲料を飲むとき等、内部空洞からユーザインターフェースに向かって流動する液体の経路に沿って位置付けられる。種々の事例では、１つ以上の外部温度センサ３０８は、弁またはストッパ／プランジャから生じる漏斗内に位置付けられる。１つ以上の外部温度センサは、上記に議論される内部温度センサと同一のタイプのセンサであり得る。外部温度センサは、容器３００を囲繞する環境の温度を測定するように構成される。そのような測定された外部温度は、例えば、加熱または冷却機構が、蓋部分３６０、弁アセンブリ３６５、ならびに／もしくは流体流路を加熱することが必要であるときを判定するために、制御システムによって使用されることができる。これらのコンポーネントのうちの１つ以上のものを加熱することによって、容器３００の内容物は、所定の温度においてユーザに到達し得る。１つ以上の外部温度センサ３０８の使用は、制御システム（例えば、図２に示される制御システム２１０）が、これがユーザに到達するときの液体の温度を推定することを可能にする。
【００６７】
種々の事例では、１つ以上のセンサは、ストッパおよび／または弁アセンブリ３６５の場所ならびに／もしくは状態を検出するように構成される、位置センサ３５４を含む。ストッパおよび／または弁アセンブリ３６５の場所ならびに／もしくは状態は、例えば、（１）圧力、（２）コア３５０のインダクタンス、（３）光、（４）ＬＩＤＡＲ、（５）画像感知、（６）スイッチ、および／または（７）磁気計を含む、多くの方法で検出されることができる。種々の事例では、弁アセンブリ３６５の場所および／または状態は、例えば、弁アセンブリ３６５が閉鎖するシール面等の表面上の検出された圧力に基づいて判定されることができる。
【００６８】
種々の事例では、弁アセンブリ３６５は、例えば、鉄コア等のコア３５０を備える。弁アセンブリ３６５の場所および／または状態は、コア３５０のインダクタンスに基づいて判定されることができる。既存のインダクタンス技術を使用して、コイル３５２との関係においてコア３５０の場所を測定することが、可能である。制御システム（例えば、図２に示される制御システム２１０）は、コイル３５２の記憶された位置に基づいて、プランジャおよび／または弁アセンブリ３６５の場所ならびに／もしくは状態を判定することができる。
【００６９】
種々の事例では、ストッパおよび／または弁アセンブリ３６５の場所ならびに／もしくは状態は、光に基づいて判定されることができる。例えば、１つ以上の発光ダイオード（ＬＥＤ）３２０および受光ダイオード３２２を使用して、制御システムは、ストッパ／コアが、第１の位置において光路を遮断し、ストッパ／コアが、第２の位置において光路を遮断していない際、ストッパおよび／または弁アセンブリ３６５の位置を判定することができる。そのような方法はまた、複数のＬＥＤおよび受光ダイオードと併用されることができる。
【００７０】
種々の事例では、ストッパの場所および／または状態は、例えば、ＬＩＤＡＲ等のレーザ走査装置３２４に基づいて判定されることができる。
【００７１】
種々の事例では、ストッパの場所および／または状態は、例えば、カメラ等の画像センサ３０６に基づいて判定されることができる。カメラ３０６は、画像を捕捉し、捕捉された画像を制御システムに通信することができる。制御システムは、捕捉された画像を記憶された画像と比較し、ストッパおよび／または弁アセンブリ３６５の状態ならびに／もしくは場所を判定することができる。
【００７２】
種々の事例では、ストッパおよび／または弁アセンブリ３６５の場所ならびに／もしくは状態は、スイッチによって判定されることができる。そのような事例では、スイッチは、ストッパおよび／または弁アセンブリ３６５が、対応する位置にあるとき、押動され、定位置に切り替えられる。
【００７３】
種々の事例では、ストッパおよび／または弁アセンブリ３６５の場所ならびに／もしくは状態は、例えば、磁気計等の磁気センサ３５４によって判定されることができる。磁気センサ３５４は、これが、例えば、磁性コア等の磁性材料から成る場合、ストッパおよび／または弁アセンブリ３６５の場所ならびに／もしくは状態を測定することができる。そのような測定は、例えば、ホール効果センサを含む、種々の異なるセンサを使用して行われることができる。種々の事例では、ストッパおよび／または弁アセンブリ３６５は、永久磁石から成ることができる。種々の事例では、ストッパは、コア３５０を通して、具体的には、活性化された後、一時的磁性を保持することができる。
【００７４】
種々の事例では、１つ以上のセンサは、着目すべきこととして、流体が、容量性センサ３３０の場所を通過している、および／またはそこに存在すると判定するために、ストッパおよび／または弁アセンブリ３６５の傍に位置付けられる容量性センサ３３０を含む。種々の事例では、開口部／弁は、その近傍に容量性センサ３３０を備える。種々の事例では、蓋部分３６０は、弁アセンブリ３６５が、開放構成にあるとき、蓋部分３６０と弁アセンブリ３６５との間に画定される開口部上に容量性センサ３３０を備える。種々の事例では、容量性センサ３３０は、蓋部分３６０の開口部に直接位置付けられない。そのような事例では、容量性センサ３３０は、ユーザの唇が蓋部分３６０に接触する場所の近傍に位置付けられる。種々の事例では、容器３００は、複数の液体検出および／または容量性センサ３３０を備える。そのような事例では、少なくとも１つの容量性センサ３３０が、ユーザの唇が蓋部分３６０に接触する場所の傍に設置されることができ、少なくとも１つの容量性センサ３３０が、蓋部分の開口部の傍に位置付けられることができ、少なくとも１つの容量性センサ３３０が、流体流路に沿って蓋部分３６０内に位置付けられることができる。そのような設置は、制御システムが、流体流路に沿った液体の現在の位置を計算することを可能にする。そのような設置はさらに、制御システムが、流体が分注されている、および／または流動している速度ならびに／もしくは方向を判定することを可能にする。種々の事例では、容量性センサ３３０は、制御システムが、流路に沿って流動している液体および／または流体の量を判定することを可能にする。容量性センサの好適な実施例は、液体を検出するように構成される任意のセンサを含む。種々の事例では、液体センサは、例えば、圧力センサ等の別のタイプのセンサによって、液体の存在を検出することができる。
【００７５】
図４は、スマート容器との併用のための電源４００を図示する。種々の事例では、電源４００は、本明細書に議論される種々の機構に給電するためのバッテリを備える。種々の事例では、バッテリ４００は、円筒形形状を備える。他の事例では、バッテリ４００は、他の形状の中でも着目すべきこととして、長方形形状、正方形形状、ボタン形状、コイン形状等のいくつかの形状を備えてもよい。バッテリ４００は、第１の端部４０２と、第２の端部４０４とを備える。バッテリ４００の中間部分はさらに、それを通した孔４０６または開口を画定し、ドーナツの外観を模倣する形状を形成する。種々の事例では、ドーナツ形状を備える複数のバッテリ４００が、並列に接続されるが、任意の好適なバッテリ形状が、使用されることができる。種々の事例では、バッテリは、中間に孔を伴うパウチセルを備える。
【００７６】
図５に示されるように、容器５００は、本体部分５２０に選択的に係止されるように構成される、蓋部分５１０を備える。種々の事例では、蓋部分５１０は、ラッチ接続機構を通して本体部分５２０に係止される。種々の事例では、蓋部分５１０は、対応するねじ山を介して容器５００の本体部分５２０上に螺合されることができる。いったん整合されると、本体部分５２０上の溝付き部分５２２は、蓋部分５１０の第１の部分５１４および第２の部分５１５内に嵌合するように定寸される。しかしながら、他の好適な取付機構も、使用されることができる。いったん蓋部分が、十分に取り付けられると、ラッチ接続機構が、蓋部分５１０を定位置に係止するように係合される。本明細書により詳細に説明されるように、いったん蓋部分５１０が、ラッチ接続機構によって定位置に係止されると、蓋部分５１０は、例えば、蓋部分５１０を単純に螺合解除することによっては本体部分５２０から除去されることができない。そのような事例では、ラッチ接続機構は、最初に、係止解除されなければならない。種々の事例では、ラッチ接続機構は、上記に説明されるようなタッチ感応インターフェース上に一意のコードを打ち込むことによって係止解除されてもよい。種々の事例では、一意のコードは、タッチ感応インターフェースから選定される一連の数字および／または文字である。種々の事例では、一意のコードは、タッチ感応インターフェースに対するタッチのパターンである。加えて、タッチ感応インターフェース上に入力される一意のコードに基づいてシステムを係止解除するための他の好適な方法も、想定される。加えて、例えば、指紋検出、口唇紋検出等の本明細書に議論されるシステムを係止解除するための他の好適な方法も、想定される。
【００７７】
上記に議論されるように、容器５００は、流体および／または内容物が、蓋部分と弁アセンブリとの間に画定される開口部５６０を通して本体部分５２０の内部空洞５３０から流動する能力を制御するように構成される、弁アセンブリ５４０および／またはプランジャを備える。図５および６に示されるように、弁アセンブリ５４０は、第１の位置と第２の位置との間で移動するように構成される。弁アセンブリ５４０は、図５に第１の、すなわち、閉鎖位置において示される。弁アセンブリ５４０が、第１の位置にあるとき、流体は、本体部分５２０の内部空洞５３０から、かつ開口部５６０から外に流動することを防止される。弁アセンブリ５４０は、図６に第２の、すなわち、開放位置において示される。弁５４０が、第２の位置にあるとき、矢印によって表される容器の内容物は、内部空洞５３０からの流路に沿って、かつ開口部５６０を通して外に自由に流動することが可能である。種々の事例では、弁５４０は、所望の位置および／または状態において係止されることができる。そのような事例では、弁５４０の位置および／または状態は、外力からの物理的入力を通して手動で変更されることができない。言い換えると、例えば、ユーザは、弁５４０を閉鎖状態から開放状態に押動することができない、または逆もまた同様である。他の事例では、ユーザは、物理的入力を印加することを通して弁５４０の位置および／または状態を手動で改変することが可能である。種々の事例では、弁５４０は、ピンまたは任意の他の好適なラッチ接続特徴によって具体的位置／状態に係止される。種々の事例では、容器５００の弁５４０の自動的制御に加えて、容器５００はまた、自動的制御を手動でオーバーライドするためのデバイスおよび／または機構を備えてもよい。そのような手動オーバーライドは、例えば、ユーザがタッチ感応インターフェース上に一意のコードを打ち込むこと、および／またはリセット特徴のアクティブ化を含んでもよい。種々の事例では、容器５００は、例えば、ロボットまたは他の機械によって係止もしくは係止解除されてもよい。これは、生産試験の間に特に有用であり得る。
【００７８】
弁が、閉鎖構成にあるとき、弁は、液体が開口部から外に、またはそれを通して流動することを防止ならびに／もしくは禁止する。少なくとも１つの事例では、図７に示されるように、弁６４０を閉鎖状態に保つために、容器６００は、例えば、弁６４０を閉鎖位置に付勢および／または維持する、ばね力等の付勢部材６４６を備える。種々の事例では、外力が、例えば、弁を手動で開放しようとしているユーザから印加されるとき、弁が開放状態に移動することを防止する、および／または妨げようとして、ラッチ接続ピンが、定位置に移動することができる。そのような事例では、ラッチ接続ピンは、外力が、容器および／または蓋部分の外側から印加される場合であっても、弁を定位置に効果的に保持する。１つ以上の開放機構および／またはアクチュエータが、弁の状態を制御するために使用されることができる。そのような開放機構は、例えば、（１）変形可能材料、（２）圧電材料、（３）電気モータ、（４）ソレノイド、（５）他の電気機械的解決策、（６）油圧、（７）ポンプシステム、および／または（８）空気圧を含む。
【００７９】
ここで図７および８を参照すると、容器６００は、変形可能材料から成る弁アセンブリ６４０の少なくとも一部を備える。種々の事例では、弁アセンブリ６４０は、変形可能材料から成る上部部分６４４を備える。種々の事例では、弁アセンブリ６４０は、変形可能材料から成るプランジャ部分６４２を備える。種々の事例では、変形可能材料は、例えば、ＳＭＡ、スマートメタル、メモリメタル、筋肉ワイヤ、および／またはスマートアロイ等の形状記憶合金から成る。種々の事例では、変形可能材料は、電流からの熱等の熱に暴露されると、形状を変化させる。好適な合金の実施例は、限定ではないが、銅−アルミニウム−ニッケルおよびニッケル−チタン（ＮｉＴｉ）を含む。弁アセンブリ６４０は、図７に閉鎖状態において示される。その静止状態では、変形可能材料は、付勢部材６４６がプランジャ部分６４２に対して上向きに押動し、容器６００の内容物が分注される能力を遮断することを可能にする、弁アセンブリ６４０のサイズを維持する。弁アセンブリ６４０における変形可能材料が、形状を変化させるにつれて、弁アセンブリ６４０は、開放される。図８に示されるように、変形可能材料は、拡張し、それによって、プランジャ部分６４２を付勢部材６４６に対して、かつ容器６００の本体部分６２０に向かって押動する。変形可能材料の拡張およびプランジャ部分６４２の後続変位は、容器６００の内容物が分注されることを可能にするための経路を生成する。種々の事例では、変形可能材料は、これが、より低温の温度に戻った後、その元々の静止状態に戻るように構成される。
【００８０】
種々の事例では、本明細書に説明される容器はさらに、制御システムからのコマンドに応答して、弁アセンブリを開放および閉鎖するように構成される、電気モータを備える。種々の事例では、例えば、ソレノイド等の代替機械的構造が、弁アセンブリを開放および閉鎖する際に使用されることができる。
【００８１】
ここで図９および１０を参照すると、容器７００は、蓋部分７１０と、本体部分７２０とを備える。蓋部分７１０は、開口部７１４が、ラッチ接続機構によって遮断されていないとき、それを通して本体部分７２０の内容物が分注され得る、開口部７１４を備える。図９に示されるように、ラッチ接続機構は、閉鎖構成にあり、それによって、本体部分７２０から外への、かつ開口部７１４を通した流体の流動を防止する。ラッチ接続機構は、例えば、プラスチック等の非磁性材料から成る、プランジャ部材７５０と、アーム７１２とを備える。蓋部分７１０はさらに、コイル７４０と、鉄コア等のコア７３２とを備える。図示される実施形態では、コア７３２は、ラッチ接続機構の手動オーバーライドを可能にするピン７３０上に位置付けられるが、コア７３２は、任意の好適な場所に位置付けられることができる。ソレノイド７３２、７４０のアクティブ化は、ピン７３０を、ラッチ接続機構に向かって内向きに平行移動させる。ピン７３０の内向き移動は、ピン７３０の第１の端部７３４をアーム７１２の一部に押動し、それによって、アーム７１２を開放構成へ下向きに付勢する。アーム７１２が、下に引動されるにつれて、プランジャ部材７５０は、アーム７１２とともに引動され、プランジャ部材７５０は、蓋部分７１０上の開口部７１２をもはや遮断しない。プランジャ部材７５０が、開口部７１２の邪魔にならないように移動されると、流体は、本体部分７２０から容器７００の外に分注されることが可能である。代替として、ユーザは、ラッチ接続機構の手動係止解除を実施するために、容器７００の外側から内向きにピン７３０を押動することができる。ラッチ接続機構が係止解除されている際のプランジャ部材７５０およびピン７３０の移動は、図１０の矢印によって表される。
【００８２】
種々の事例では、容器は、液体が内部空洞から上に圧送されることを可能にする、ポンプシステムを備える。種々の事例では、ポンプシステムは、液体が内部空洞の中に、および／またはそれから外に圧送されることを可能にする。種々の事例では、ポンプシステムは、電気機械的解決策および／または、例えば、油圧ならびに空気圧等の任意の他の好適な力発生解決策として駆動される。
【００８３】
種々の事例では、本明細書に説明される容器は、蓋部分上の開口部の位置を持続的に調節するように構成される。例えば、ユーザが容器を手に取る配向にかかわらず、開口部は、ユーザの唇の場所に自動的に位置付けられる。そのような連続的調節は、本明細書に説明されるような視覚認識および／またはキャップセンサを通して遂行されることができる。
【００８４】
種々の事例では、開孔は、制御システムが、容器の検出された傾斜度を受信する際に回転されることができる。制御システムは、次いで、蓋部分の周囲の円周の最も低い点に開口部の場所を位置付けるように構成される。種々の事例では、容器は、ユーザの唇が検出される蓋部分のみを開放するように構成される。蓋部分は、着目すべきこととして、ユーザの唇によって印加される圧力、口唇紋の検出、および／または本明細書に説明されるような他の好適な検出手段に応答して開放することができる。
【００８５】
種々の事例では、容器の制御システムは、流体が容器から分注される率を変動させるように構成される。例えば、制御システムは、弁アセンブリ、したがって、開口部が開放する程度を制御することができる。ｔ＝１において、開口部は、わずかな程度に開放することができる。ユーザが、飲料を飲み続ける場合、容器が、持続的に傾斜されている場合、ユーザの唇が、容器と常に接触している場合、および／またはユーザの唇が、所定の入力を提供する場合、制御システムは、開口部をある程度に開放および／または制限するように構成される。例えば、ユーザは、コーヒー等の熱い液体をゆっくり飲み始め、熱い液体の激しい流れに遭遇することに応じて、自身が火傷することを回避することができる。ユーザが、熱い液体に遭遇した後、ユーザは、液体が、より速くまたはより遅く分注されるべきかどうかを判定することができる。
【００８６】
種々の事例では、本明細書に説明される容器は、１つを上回る開口部を備える。複数の開口部は、蓋部分の円周に沿って対称に配列される。例えば、容器は、１２０度離れて分散される３つの開口部を備える。複数の開口部の存在は、ユーザが、ユーザが容器を保持する配向にかかわらず、容器から便宜的に飲料を飲むことを可能にする。上記に説明されるように、容器は、ユーザが、飲料を飲みながら容器を選択的に配向することを可能にする持続的調節機構を備え、容器は、流体流および／または開口部の場所を調節するであろう。そのような持続的調節は、容器の内容物が他の開口部から流動および／または漏出することなく、ユーザが自由に容器を保持する、および／または最も近接する開口部を選択することを可能にする。複数の開口部の存在はまた、複数のユーザが、例えば、細菌を拡散することなく、同一の容器から飲料を飲むことを可能にする。各開口部は、例えば、具体的ユーザ毎に異なる色付きのＬＥＤを使用して示されることができる。さらに、制御システムは、容器の内容物が、検出されたユーザに対応する開口部からのみ分注されることを可能にすることができる。
【００８７】
本明細書に説明されるラッチ接続機構の場所は、図示される実施形態に限定されることを意図していない。言い換えると、ラッチ接続機構は、例えば、ラッチ接続機構のプランジャが着座する場所の上方等の容器内の任意の好適な位置に位置することができる。
【００８８】
種々の実施形態では、１つ以上のばねが、弁を開放および閉鎖位置の間で移動させるために、組み合わせて使用されることができる。種々の実施形態では、容器は、電力が、弁を新しい位置に（すなわち、閉鎖位置から開放位置に、または開放位置から閉鎖位置に）移動させる間にのみ必要とされるように、ラッチ接続特徴を備える。
【００８９】
ここで図１１−２４を参照すると、容器９００は、蓋部分９１０と、本体部分９２０とを備える。蓋部分９１０はさらに、弁アセンブリ９３２を蓋部分９１０内の定位置に係止するように構成される係止部材９３４を備える、弁アセンブリ９３２を備える。ラッチ接続特徴は、弁アセンブリ９３２が、容器９００がある位置および／または状態にかかわらず、固定配向に留まることを可能にする。そのような固定位置は、例えば、平行移動および回転垂直経路に沿って弁アセンブリ９３２を移動させることによって達成される。弁アセンブリ９３２は、本明細書により詳細に説明されるもの等の電気機械的解決策によって移動されてもよい。そのような移動を伴わなければ、弁アセンブリ９３２は、固定状態にならないであろう。実施例として後退可能ペンを使用すると、ユーザが、ペンの上部を下向きに押圧すると、ペンの先端は、延在され、使用のために筐体の底部において定位置に係止される。非固定状態の実施例として、ペンの上部は、下向き位置に緩く保たれる。言い換えると、ペンの上部は、ペンが、異なる配向に移動されるとき、位置の間で小刻みに揺動することが可能である。ペンの上部が、ペンの筐体の中に戻るように先端を後退させるために下向きに押動されると、ペンの上部は、その延在位置に堅く留まる。明確にするために、図１１は、弁アセンブリ９３２の下方に位置付けられる、例えば、ばね等の付勢部材を示していない。
【００９０】
蓋部分９１０は、容器９００の本体部分９２０への蓋部分９１０の取付を促進する、突出部９１６を備える。図１１に描写されるように、蓋部分９１０は、突出部９１６の内面上に画定される、２つの軌道を備える。２つの軌道は、蓋部分９１０の内周全体の周囲に延在する。２つの軌道は、上側軌道９１２と、下側軌道９１４とを備える。弁アセンブリ９３２の係止部材９３４は、弁アセンブリ９３２が、開放および閉鎖される際、上側軌道９１２および下側軌道９１４によって画定される経路内に受容され、その中で平行移動するように定寸される。
【００９１】
弁アセンブリ９３２が閉鎖または係止配向と開放または係止解除配向との間で移動する能力は、図１１−２４に描写されるプロセスを通して達成されることができる。図１２および１３は、弁アセンブリ９３４の係止部材９３４の一般的経路を描写する。係止部材９３４のための経路は、係止解除および係止プロセスの間の係止部材９３４の種々の位置に対応する、矢印およびａ−ｋの英数字によって表される。種々の事例では、弁アセンブリ９３２の経路および／または状態は、以下のように進行し、すなわち、（ａ）閉鎖される、（ｂ）開放するように下向きに移動する、（ｃ）開放するように回転する、（ｄ）開放するように上に移動する、（ｅ）開放ラッチ接続位置に回転する、（ｆ）閉鎖するように下に移動する、（ｇ）閉鎖するように回転する、（ｈ）閉鎖するように上に移動する、（ｉ）閉鎖するように回転する、（ｊ）閉鎖するように上に移動する、および（ｋ）閉鎖位置に回転し、次いで、繰り返す。
【００９２】
図１４は、閉鎖または係止構成における弁アセンブリ９３２の部分断面図である。係止部材９３４は、上側軌道９１２によって画定される歯と係合する。注目すべきこととして、係止部材９３４は、下側軌道９１４と界面接触しない。弁アセンブリ９３２が開放または係止解除構成に移動するために、係止部材９３４、したがって、弁アセンブリ９３２は、最初に、図１５に示されるように下向きに移動される。係止部材９３４は、上側軌道９１２によって画定される歯との接触から外れるように移動され、下側軌道９１４によって画定される歯と係合するように移動される。本明細書に説明される後退可能ペン実施例と同様に、係止部材９３４は、図１４に描写される位置と図１５に描写される位置との間で小刻みに揺動することが可能である。図１６に描写されるように、係止部材９３４は、下側軌道９１４の歯によって画定される経路に沿って回転することによって、開放または係止解除構成に向かって進む。注目すべきこととして、係止部材９３４は、依然として下側軌道９１４と接触している。図１７および１８に示されるような開放または係止解除構成に到達するために、係止部材９３４は、次いで、上側軌道９１２の歯と係合するように上向きに付勢され、次いで、上側軌道９１２の歯によって画定される経路に沿って回転される。
【００９３】
上記に議論されるように、図１８は、開放または係止解除構成における弁アセンブリ９３２を描写する。弁アセンブリ９３２がその閉鎖または係止構成に戻るために、係止部材９３４、したがって、弁アセンブリ９３２は、最初に、図１９に示されるように下向きに移動される。係止部材９３４は、上側軌道９１２の歯との接触から外れ、下側軌道９１４の歯と係合するように移動される。図２０に描写されるように、係止部材９３４は、下側軌道９１４の歯によって画定される経路に沿って回転することによって、閉鎖または係止構成に向かって進む。図２１−２４に示されるような閉鎖または係止構成に到達するために、係止部材９３４は、次いで、上側軌道９１２の歯と係合するように上向きに付勢され、上側軌道９１２の歯によって画定される経路に沿って回転され、上側軌道９１２の歯によって画定される経路に沿って再度上向きに付勢され、次いで、上側軌道９１２の歯と係止係合するように回転される。
【００９４】
種々の事例では、複数のステップが、少なくとも１つのソレノイドの内側の複数のコイルを通して、弁アセンブリの場所および／または状態を制御するために行われる。そのような事例では、弁のより精密および／または厳密な場所が、判定されることができる。種々の事例では、１つ以上のモータが、１つ以上のソレノイドの代わりに使用される。
【００９５】
ここで図２５および２６を参照すると、種々の事例では、容器８９０は、自動的ポンプシステムを備える、ストロー８００を備える。ストロー８００は、容器８９０の底部から最も遠いストロー８００の端部の外側表面上に位置付けられる、センサ８１０を備える。ストロー８００はさらに、ポンプ８２２、電源８２４、および他の種々の電子機器８２６をカプセル化する、筐体８２０を備える。ポンプ８２２は、インペラとともに構築される電気モータおよび／または電磁石を備える。インペラはまた、インペラが、その先端上に磁気要素を有するとき、モータであり得る。力の制御は、インペラを囲繞するコイルを制御する制御システム８２６によって遂行されることができる。電源８２４は、例えば、バッテリを備えることができる。付加的電子機器８２６は、例えば、制御システムを含むことができる。ストロー８００はさらに、センサ８１０に対向するストロー８００の端部上に位置付けられる、圧力センサ８４０を備える。種々の事例では、ストロー８００は、圧力センサ８４０にわたって位置付けられる、フィルタ８３０を備える。ポンプシステムは、ユーザが、ストロー８００によって検出されるとき、ストロー８００を通して上に容器８９０の内容物を圧送するように構成される。種々の事例では、ポンプシステムは、ユーザが、ストローから所定の距離内にいるとき、ストローを通して液体を圧送するように構成される。種々の事例では、ポンプシステムは、承認されたユーザに対応する口唇紋が、ストローと接触すると、ストローを通して液体を圧送するように構成される。ポンプシステムのアクティブ化は、例えば、センサ８１０が、ユーザの唇を検出するとき、ユーザが、ストロー８００を吸い始め、圧力センサ８４０によって検出される圧力を変化させるとき、および／またはインペラが、移動し始めるとき等、多くの因子によって制御されることができる。他の許容可能なユーザ検出方法も、想定され、本明細書に説明される。
【００９６】
前述で言及されるように、種々の事例では、ポンプが、液体が、容器から外に、またはその中に圧送され得るように、ストローおよび／または容器の蓋部分の開口部に接続されることができる。種々の事例では、容器は、ストローを備える。種々の事例では、ストローは、所定の条件が、満たされるとき、ストローを通して上に流体を圧送するように構成される、内部および／または外部電源を備える。例示的外部電源は、誘導性、伝導性、および／または機械的動力伝達を経由して動力供給されることができる。例示的機械的動力伝達は、負荷をかけられるばね荷重である。
【００９７】
種々の事例では、ストローは、本明細書に説明されるセンサのうちの１つ等のセンサを備える。種々の事例では、複数のセンサが、ストローと関連付けられることができる。種々の事例では、センサは、近接および／またはタッチセンサである。そのようなタッチセンサは、例えば、ユーザが自身の唇をストロー上に設置するときに検知する容量性センサ等の本明細書により詳細に説明されるタイプであり得る。そのような事例では、容量性センサが、ストロー上の承認されたユーザの唇の存在を検出すると、制御システムは、ユーザの口へとストローの上に流体を圧送し始めるようにポンプにコマンドする。そのような事例では、ユーザは、自身の口へと上に流体を運ぶために、ストローを吸うことを要求されない。
【００９８】
種々の事例では、ストローは、ユーザが、ストローを吸い始めると、圧力の降下を検出するように構成される、圧力センサを備える。そのような事例では、圧力センサが、圧力の降下を検出すると、制御システムは、ユーザの口へとストローの上に流体を圧送し始めるようにポンプにコマンドする。そのような事例では、ユーザは、自身の口へと上に流体を運ぶために、ストローを吸うことをもはや要求されない。種々の事例では、ポンプは、ユーザの唇が、センサによってもはや検出されなくなると、圧送を停止するように構成される。種々の事例では、ポンプが起動しなくなったときにストロー内に残っている液体は、溢流を防止するために容器の中に戻るように排出される。種々の事例では、ストローは、ユーザがストローを噛むことに応答して、ストローの上に流体を圧送するように構成される、圧力センサおよび／または圧力トランスデューサを備えることができる。
【００９９】
種々の事例では、ストローは、本明細書に説明されるスマート容器等のスマート容器に統合される。そのような事例では、容器は、開放されると、流体がストローを通して流動することを可能にするような弁を備える。種々の事例では、弁は、ストローの中空開口部内にある。種々の事例では、弁は、ストローと別個のコンポーネントである。
【０１００】
図２７を参照すると、容器１０００は、蓋部分１０２０と、本体部分１０３０と、蓋部分１０２０に接続される、飲み口１０１０とを備える。蓋部分１０２０は、本明細書に説明されるセンサのうちのいずれか等の１つ以上のセンサ１０４２、１０４４を備える。飲み口１０１０は、液体および／または内容物が、容器１０００から外に、もしくはその中に圧送され得るようなポンプを備える。種々の事例では、飲み口１０１０は、所定の条件が、満たされるとき、飲み口を通して上に流体を圧送するように構成される、内部および／または外部電源１０４０を備える。例示的外部電源は、誘導性、伝導性、および／または機械的動力伝達を経由して動力供給されることができる。例示的機械的動力伝達は、負荷をかけられるばね荷重である。飲み口１０１０はさらに、ポンプおよび他の電子機器のための筐体１０１４と、センサ１０１２と、随意のフィルタ１０１６とを備える。
【０１０１】
種々の事例では、飲み口１０１０は、本明細書に説明されるセンサのうちの１つ等のセンサ１０１２を備える。種々の事例では、複数のセンサが、飲み口１０１０と関連付けられる。種々の事例では、センサ１０１２は、近接および／またはタッチセンサである。そのようなタッチセンサは、例えば、ユーザが自身の唇を飲み口１０１０上に設置するときに検知する容量性センサ等の本明細書により詳細に説明されるタイプであり得る。そのような事例では、容量性センサが、飲み口上の承認されたユーザの唇の存在を検出すると、制御システムは、ユーザの口へと飲み口の上に流体を圧送し始めるようにポンプにコマンドする。そのような事例では、ユーザは、自身の口へと上に流体を運ぶために、飲み口を吸うことを要求されない。
【０１０２】
種々の事例では、飲み口は、ユーザが、飲み口を吸い始めると、圧力の降下を検出するように構成される、圧力センサを備える。そのような事例では、圧力センサが、圧力の降下を検出すると、制御システムは、ユーザの口へと飲み口の上に流体を圧送し始めるようにポンプにコマンドする。そのような事例では、ユーザは、自身の口へと上に流体を運ぶために、飲み口を吸うことをもはや要求されない。
【０１０３】
種々の事例では、容器は、開放されると、流体が飲み口を通して流動することを可能にするような弁を備える。種々の事例では、弁は、飲み口の中空開口部内にある。種々の事例では、弁は、飲み口と別個のコンポーネントである。
【０１０４】
種々の事例では、飲み口は、ユーザの口に向かって自動的に延在する。飲み口のそのような自動化移動は、コンピュータビジョンおよび／または任意の他の好適な位置特定支援システムを使用して制御されることができる。
【０１０５】
本明細書により詳細に議論されるように、蓋部分は、容器の本体部分に除去可能に結合されるように構成される。しかしながら、アダプタが、蓋部分が、異なる容器からの別の本体部分に結合されることを可能にするために、蓋部分に結合されることができる。そのようなアダプタは、相容れない本体部分に取り付けるための変形可能シールであり得る。シールは、拡張可能および／または圧潰可能であり得る。
【０１０６】
種々の事例では、本明細書に説明される容器のうちのいずれかはさらに、例えば、ユーザが自身の容器を紛失しない、盗難に遭わない、および／または誰かが誤って間違った容器をとらないように防止するように構成される、１つ以上のセキュリティ特徴を備える。種々の事例では、容器は、容器が、例えば、紛失または盗難された場合、容器が、容易に見つけられ得るように、追跡機能性を備える。追跡機能性は、種々の様式およびインターフェースにおいてアクティブ化されることができる。例えば、ユーザは、ユーザの容器が、所定の近傍内にある場合、音声コマンドを発行することができる。種々の事例では、ユーザは、ネットワーク接続を経由して、例えば、無線デバイス等の外部デバイスを通して自身の容器を追跡することができる。例示的無線デバイスは、限定ではないが、携帯電話、スマートウォッチ、タブレット等を含む。携帯電話、スマートウォッチ、タブレット等は、所有者の容器への接続を可能にするアプリを備えてもよい。容器に接続するための外部デバイスに関して、容器はまた、ネットワークへの接続を備える必要がある。そのような接続は、例えば、Ｂｌｕｅｔｏｏｔｈ（登録商標）、Ｗｉ−Ｆｉ、４Ｇ、および／または任意の他の好適な無線もしくは有線接続方法であり得る。
【０１０７】
種々の事例では、容器は、「自分の容器を見つける」機能性を備える。種々の事例では、容器は、ユーザが、容器を囲繞する所定の境界を越えると、ユーザにアラートするように構成される、トラッカを備える。アラートは、例えば、ユーザの接続された外部デバイスを通して等、任意の好適な様式で送信されることができる。種々の事例では、容器は、ユーザが容器の所定の近傍を離れたことを示すためのノイズを発生させてもよい。容器は、種々の様式でユーザの距離にリンクされることができる。例えば、ユーザのスマートフォンへのＢｌｕｅｔｏｏｔｈ（登録商標）接続が、信号の強度を測定することによって使用されることができる。種々の事例では、ＧＰＳ等の測位システムが、ユーザと容器との間の相対位置を判定するために使用されることができる。種々の事例では、ＧＰＳは、ユーザと容器との間の相対位置を判定するために、ＷｉＦｉ場所と組み合わせて使用されることができる。
【０１０８】
種々の事例では、容器は、ユーザに対してそれ自体を識別する能力を備える。例えば、容器は、容器の所有者および／または承認されたユーザに一意である色で点滅するように構成される、ＬＥＤを備えることができる。種々の事例では、ＬＥＤは、ユーザが、上記に議論されるような探索特徴をアクティブ化するときにアクティブ化される。種々の事例では、ＬＥＤは、音声コマンドに応答してアクティブ化される。種々の事例では、容器は、音声コマンドに応答して、一意の音を発するように構成される。そのような識別能力は、例えば、ユーザが誤って間違った容器をとらないように防止することができる。種々の事例では、ユーザは、一意の識別光色、一意の識別光パターン、および／または一意の識別音をプログラムすることが可能である。
【０１０９】
種々の事例では、容器の蓋部分は、加熱および／または冷却機構を備える。そのような事例では、外が、寒いとき、蓋部分は、凍結するおよび／または低温の蓋部分でユーザの唇にショックを与えないように、加熱されることができる。逆に、外が、暑いとき、蓋部分は、ユーザに気持ちの良い涼しい体験を提供するように、冷却されることができる。蓋部分の温度は、例えば、加熱要素によって、および／またはペルチェ要素を使用する熱電冷却によって等、任意の好適な手段を通して制御されることができる。種々の事例では、本体部分および／または取っ手等の容器の任意の他の部分の温度は、類似する様式で制御されることができる。
【０１１０】
種々の事例では、保護カバーが、着目すべきこととして、ユーザがその唇を設置する面積を保護する、および／または細菌ならびに／もしくは汚れがそのような面積と接触することを防止するために、蓋の上部に位置付けられることができる。ユーザが、本明細書に説明される様式のうちのいずれかを通して、容器に近接する、および／またはそれによって認識されると、保護カバーは、邪魔にならないように移動される、および／またはユーザが特定の場所から飲料を飲むことを可能にする様式で開放する。そのような保護カバーまたは蓋は、飲用面が清潔なままであることを可能にする。
【０１１１】
種々の事例では、容器は、本明細書に説明される１つ以上のセンサによって検出された種々のパラメータを記録するように構成される。例えば、ユーザが、容器から飲料を啜込する度に、制御システムは、例えば、各一口で摂取された液体の平均量、容器内の液体の温度等のデータを記録するように構成される。種々の事例では、容器は、本記録された情報に基づいて、ユーザプロファイルを作成するように構成される。種々の事例では、容器は、記録されたパラメータを分析し、挙動分析を実施するように構成される。そのような挙動分析の結果は、例えば、容器のデフォルト設定を最適化するために使用されることができる。
【０１１２】
そのような事例では、第１のユーザが、ボトルを使用していると識別されるとき、制御システムは、ある持続時間にわたって開放したままであり、第１のユーザが典型的に飲む液体の平均量が分注されることを可能にするように弁にコマンドすることができる。本量の液体が、分注された後、制御システムは、自動的に閉鎖するように弁にコマンドする。第２のユーザが、容器を使用していると識別されるとき、制御システムは、ある持続時間にわたって開放したままであり、第２のユーザが典型的に飲む液体の平均量が分注されることを可能にするように弁にコマンドすることができる。本量の液体が、分注された後、弁は、自動的に閉鎖するようにコマンドされる。
【０１１３】
種々の事例では、第１のユーザが、容器を使用していると識別されるとき、制御システムは、第１のユーザによって好まれる所定の範囲内に流体の温度を維持するように加熱および／または冷却機構にコマンドすることができる。そのような温度は、容器の内側と、流体が、蓋および／またはユーザと接触するときとの両方で維持されることができる。第２のユーザが、容器を使用していると識別されるとき、制御システムは、第２のユーザによって好まれる所定の範囲内に流体の温度を維持するように加熱および／または冷却機構にコマンドすることができる。
【０１１４】
上記に議論されるように、種々の事例では、容器は、制御システムを備える。制御システムは、実行されると、種々の機械的コンポーネントに所望の機能を実施させる、コマンドを発行するように構成される。制御システムは、１つ以上のセンサから通信された情報および／または記憶されたデータに対して実施された分析に基づいて、コマンドを発行することができる。種々の事例では、機械的コンポーネントは、例えば、弁、ストロー、飲み口、モータ、容器に係止されるように構成される蓋部分、ロック、加熱器、および／またはポンプを備える。機械的コンポーネントは、本明細書により詳細に説明される。種々の事例では、容器は、流体が、ユーザに流出し得るかどうかに関連するパラメータを制御するように構成される、弁を備える。種々の事例では、弁は、流体が、ユーザに流出することが可能であるかどうかを制御する。種々の事例では、弁は、ユーザに流出することが可能な流体の量を制御する。弁またはプランジャは、制御システムが、流体が、蓋部分からユーザに流出し得ると判定すると、自動的に開放するように構成される。弁またはプランジャは、制御システムが、流体が、蓋部分からユーザにもはや流出し得ないと判定すると自動的に閉鎖するように構成される。
【０１１５】
種々の事例では、制御システムは、基本条件に基づいて、容器の機械的コンポーネントを制御するように構成される。そのような基本条件は、例えば、機械的コンポーネントの機能性をアクティブ化するために、本明細書に説明される１つ以上のセンサから通信されるデータを含む。そのような機能性は、例えば、弁を開放すること、弁を閉鎖すること、液体を送達するためにポンプシステムをアクティブ化すること等を含む。制御システムは、基本条件に基づいて、容器の機械的コンポーネントを制御するように構成されるが、弁アセンブリを開放するときに考慮するべき複数の変数が、存在する。例示的変数は、例えば、付勢部材に起因する力、外部圧力に対する内部圧力、および／またはコンポーネントの間の摩擦を含む。弁アセンブリを開放するために、力が、これらの変数に起因する力の合計を克服するために必要とされる。種々の実施形態では、ソレノイドおよび／またはモータのための異なるプリセット電力設定が、弁アセンブリを開放するために使用される力の量を制御するために使用されることができる。必要とされる力の量を制御するために、ソレノイドへの電力係合時間等の開放機構への較正された量の電力が、印加されることができる。他の制御機構は、限定ではないが、以下を含む。
ａ．低電力において弁アセンブリを開放し、弁アセンブリが、開放されるまで、開放機構への電力出力を徐々に増加させることの試験
ｂ．弁アセンブリが、正常に開放されるときの以前の電力要件を使用すること
ｃ．事前プログラムされた電力レベルを使用すること
ｄ．容器の内外の圧力測定等の外部センサのセットの有無を問わず、比例／積分／微分（ＰＩＤ）コントローラに基づくシステムおよび制御プログラム等のより複雑なシステムソリューションを実装すること
【０１１６】
弁アセンブリの内側と外側との間の圧力差は、以下等の多くの因子によって引き起こされ得る。
ａ．容器の内側の液体の高温に起因する容器の内側の蒸気
ｂ．炭酸液体
ｃ．容器の外側の低空気圧（多くの場合、気象条件または高高度に起因する）
ｄ．容器の外側の高空気圧
【０１１７】
種々の事例では、制御システムは、弁アセンブリが開放している間に印加される電力を持続的に測定し、場所を検出し、開放の効率に基づいて電力を制御するように構成される。例えば、多くの電力が、例えば、蒸気に起因する内側の高圧力に起因して必要とされる場合、制御システムは、より長い時間にわたって多くの電力を使用し、弁アセンブリの場所を持続的に測定するように構成される。弁アセンブリが、具体的場所を過ぎて移動すると、制御システムは、電力供給を低下させるように構成される。そのような制御システムは、加えて、ソレノイド内の誘導場所を監視するために、場所センサを実装し得る。さらに、力フィードバックが、要求される電力の量を制御するために、モータから与えられることができる。
【０１１８】
種々の事例では、制御システムは、電力管理のためにサイレントモードおよびノイズモードで動作するように構成される。サイレントモードの間、電力供給は、より少なく、弁アセンブリのみが、動作されることが可能である、および／または蓋部分は、手動でのみ除去されることが可能である。
【０１１９】
弁アセンブリが、開放および／または閉鎖している間にスタックした場合、複数の対策が、利用可能である。１つのそのような対策は、例えば、短パルスにおいてソレノイドに通電することによって、弁開放機構に迅速なパルスを供給することである。
【０１２０】
種々の事例では、制御システムは、タッチセンサへのユーザ入力に応じて、弁アセンブリおよび／または蓋部分の係止解除機構をアクティブ化するように構成される。種々の事例では、１つ以上のセンサが、ユーザが容器に触れる場所の詳細な選択を行うために等、併せて使用されることができる。センサの高い分解能を用いて、制御システムは、タッチの方向を正確に測定することが可能である。そのような事例では、ユーザは、弁アセンブリおよび／または蓋部分の係止解除機構をアクティブ化するように制御システムをトリガするために、タッチ感応インターフェース上で一意のスワイプパターンを使用することができる。種々の事例では、ユーザは、唇または舌でタッチセンサの具体的場所に触れる、ならびに／もしくは唇または舌でアクティブ化パターンを実施することによって、蓋を開放状態および／または閉鎖状態にトグルすることができる。種々の事例では、係止または係止解除および開放するためのパターンは、容器の上方または周囲の空中でのスワイプを用いて行われることができる。センサは、移動を測定するための十分に高い分解能を伴う移動のための任意のセンサであり得る。実施例として、蓋の表面上の周囲で距離感知容量性センサを使用することができる。
【０１２１】
種々の事例では、タッチセンサの内側リングおよびタッチセンサの外側リングが、蓋部分の上面上に位置付けられることができる。上記に議論されるように、容器は、取っ手を備えることができる。取っ手は、タッチセンサおよび／または指紋もしくは指掌紋センサを備えることができる。センサは、それ自体で弁アセンブリを開放するためのトリガであり得る、または取っ手センサは、蓋を開放するための他のトリガと組み合わせられることができる。容器が、指紋／指掌紋センサを備えるとき、これは、具体的人物および／または複数の認可されたユーザにリンクされ、容器の予期されるユーザを認証することを支援することができる。
【０１２２】
例示的実施形態では、図２８に示されるように、蓋部分１１００の上面は、センサの２つの環状リングを備える。種々の事例では、複数のセンサが、蓋部分の上面に沿って環状形状を形成するために使用される。種々の事例では、１つのセンサが、蓋部分の上面の周囲に環状リングを形成する。２つの環状リングは、内側リングと、外側リングとから成る。２つの環状リングは、複数のセンサから構成される複数の区分を備える。種々の事例では、１つ以上のセンサは、半月形状を備える。種々の事例では、１つ以上のセンサは、制御システムが、ユーザが容器と接触している場所のより正確および／または具体的な判定を行うことを可能にするために、重複様式で配列される。他の事例では、１つ以上のセンサは、重複しない。ユーザが、その唇を完全に蓋部分１１００上に設置すると、自身の唇は、センサの内側リングおよび外側リングに接触するであろう。例えば、ユーザの下唇１１５０は、センサ１１２０ａ、１１２０ｂ、１１２０ｃ、１１２０ｄの外側リングの一部に接触する一方、ユーザの上唇１１４０は、センサ１１１０ａ、１１１０ｂ、１１１０ｃ、１１１０ｄの内側リングの一部に接触する。ユーザの唇が接触するセンサの具体的区分を検出すると、センサは、本情報を制御システムに通信することができる。制御システムは、次いで、液体が開口部から外に出るはずの方向を判定することができる。種々の事例では、内側リングおよび外側リングは、具体的方向から約３０度におけるタッチを感知する。外側リングおよび内側リングは、触れられる面積上で同一の角度を有するため、例えば、ユーザの上および下唇が、飲料を飲もうすること、または、ユーザの指が、それらが、容器から流体を注ぎ得るように唇を模倣することによって、タッチが、意図的であると仮定されることができる。そのような事例では、機械的機能は、アクティブ化され、弁が開放し、流体が開口部を通して流動することを可能にする。例えば、内側センサが、３０度においてアクティブ化されるが、外側センサが、１２０度においてアクティブ化される事例では、制御システムは、ユーザが、飲料を注ぐまたは飲むために弁を意図的に開放しようとしているわけではないと仮定することができる。そのような状況では、制御システムは、弁が開放することを防止し、弁を開放するためのアルゴリズムは、終了する。
【０１２３】
センサの外側および内側リングは、相互に回転するように回転して固定される。ユーザの下および上唇は、中心に向かって並び、両方とも、ある角度範囲内にあり得る。これらの角度が、相互に一致する限り、制御システムは、中心に向かって直線の位置において、下唇が外側リングに触れ、上唇が内側リングに触れていると判定することができる。本組み合わせは、弁アセンブリを自動的に開放する特徴を係止解除するための条件として使用されることができる。指もまた、唇を真似る同一の方向に置かれ、自動的弁アセンブリを係止解除することができる。タッチの１つを上回る整合が、検出および／または認識される場合、条件は、満たされず、弁アセンブリは、制御システムによって開放することを防止される。
【０１２４】
種々の事例では、制御プログラムは、弁が、内側センサのみが、アクティブ化されると開放することをコマンドしてもよい。種々の事例では、制御プログラムは、弁が、外側リングのみが、アクティブ化されると開放することをコマンドしてもよい。
【０１２５】
種々の事例では、制御プログラムは、弁が、液体の温度が、所定の温度範囲内にある、および／または具体的な所定の温度にあるときのみ、開放することをコマンドしてもよい。許容可能な温度が、弁が、許容可能な温度においてのみ開放するであろうように、プログラムされてもよい。容器内の液体が、熱すぎる場合、制御プログラムは、いかなる液体も、容器から出ることができないように、その閉鎖位置に留まるように弁にコマンドする。例えば、具体的タッチパターンが、タッチ感応インターフェース上に打ち込まれることができ、制御システムが、流体の温度が、プログラムされたレベルを超える場合であっても、開放位置に遷移するように弁にコマンドするであろう等、オーバーライドが、プログラムすることが可能である。
【０１２６】
種々の事例では、ユーザは、弁が開放するための許容可能な温度をプログラムすることができる。手動オーバーライドが、弁が開放位置に手動で押動されることを可能にするようにプログラムされることができる。温度は、例えば、外部デバイス（携帯電話、スマートウォッチ、タブレット等）を通して等、任意の好適なインターフェースを通して、またはタッチインターフェースもしくは音声コマンドを通してボトル上に直接プログラムされることができる。
【０１２７】
種々の事例では、容器内の流体の温度は、異なる色付きＬＥＤ光を通して、グラフィカルユーザインターフェースを通して、外部デバイスを通して、および／または任意の他の好適な通信方法を通してユーザに通信されることができる。
【０１２８】
種々の事例では、制御システムは、強化されたセキュリティ条件を実装することができる。強化されたセキュリティ条件を伴うと、特徴へのアクセスが、より良好に制御されることができる。これらの特徴は、例えば、付加的条件を伴う機械的構造のアクティブ化および／または、例えば、コンピュータインターフェース等の特徴へのアクセスを含む。例示的コンピュータインターフェースは、限定ではないが、音声制御、人工知能、および／または他のデータソースを含む。
【０１２９】
種々の事例では、１つ以上のタッチセンサを備える容器の部分は、容器の種々の機能性を制御するためのインターフェースとして使用されることができる。例えば、具体的パターンにおいてタッチ感応インターフェースに触れることによって、ユーザは、容器の特徴を係止解除することができる。係止解除パターンは、ユーザによってプログラムされることができるが、種々の事例では、制御システム内に事前プログラムされる標準化パターンもまた、存在する。例えば、ユーザは、飲用プログラムをアクティブ化するために複数回（例えば、２回）反時計回りにスワイプし、ユーザの唇が、１つ以上のセンサに触れると、弁を開放するように制御システムに指示することができる。ユーザは、飲用プログラムを非アクティブ化するために複数回（例えば、２回）時計回りにスワイプし、ユーザの唇が、１つ以上のセンサに触れるとき、弁が開放することを効果的に防止することができる。種々の事例では、ユーザが、具体的コードを打ち込むとき、弁は、自動的に開放および／または閉鎖するように構成される。種々の事例では、ユーザが、具体的コードを打ち込むとき、弁のラッチ接続機構は、係合および／または係脱されるように構成される。ラッチ接続機構から弁を係止解除すること等の容器の他の機能性も、上記に説明されるようなユーザ入力を通して制御されることができる。
【０１３０】
種々の事例では、ユーザは、例えば、新しい具体的タップおよび／またはスワイプパターン等の新しいタッチシーケンスをプログラムすることができる。容器が、タッチ感応ディスプレイを備える事例では、タッチ感応ディスプレイは、携帯電話のタッチスクリーン上のロックスクリーンと同一および／または類似する方式で機能することができる。種々の事例では、異なるユーザが、異なるパスコードを同一の容器にプログラムすることができる。そのようなプログラミングは、異なるユーザのための具体的設定特徴アクセスを可能にする。種々の事例では、容器の特徴は、特定の指掌紋および／または指紋の検出を通して係止解除されることができる。
【０１３１】
種々の事例では、例えば、具体的タッチシーケンスを通してユーザを識別することによって、付加的特徴が、ユーザのために係止解除されることができる。そのような特徴は、例えば、正しい、および／または承認されたユーザが、容器から飲料を飲もうとしているときに弁を開放することを含むことができる。種々の事例では、上記に議論されるように、唇センサが、指紋に類似するユーザの口唇紋を分析するために使用されることができる。口唇紋は、各ユーザに一意である。種々の事例では、センサは、電話が指紋を分析することと同一または類似する方法で痕跡を分析することができる。種々の事例では、センサは、ユーザが、承認されているかどうかを判定するために、ユーザの唇の幅を分析することができる。種々の事例では、口唇紋センサは、本明細書に説明される他のセンサならびに本明細書に説明される一意のタッチパターンと組み合わせられることができる。
【０１３２】
種々の事例では、制御システムは、プログラムされた顔が、存在し、撮像ソリューションによる顔認識を通して識別されると係止解除されるように容器の機能性に指示することができる。種々の事例では、制御システムは、検出されたユーザの具体的顔特徴が、十分に近接しているとき、係止解除されるように容器の機能性に指示することができる。
【０１３３】
種々の事例では、容器の特徴は、遠隔で係止解除されることができる。例えば、スマートフォンアプリケーションを通した外部接続が、弁機能性を係止解除することができる。ＮＦＣキーもまた、蓋におけるリーダと組み合わせて使用されることができる。容器は、仮想キーが、近接近すると、開放特徴を自動的に係止解除およびアクティブ化することができる。そのような仮想キーは、例えば、Ｂｌｕｅｔｏｏｔｈ（登録商標）等の無線通信を用いて蓋を係止解除する、スマートフォンであり得る。種々の事例では、仮想キーは、スイッチまたは物理キー等の機械的なものであり得る。
【０１３４】
種々の事例では、人工知能が、他の容器機能性に加えて、弁を開放および／または閉鎖するときを容器に指示するために使用されることができる。人工知能は、ルールのセットに基づいて、および／または以前の使用から得られたデータによる訓練を通して、容器機能性に指示することができる。
【０１３５】
種々の事例では、容器の弁は、所定の条件の全てに満たないものが、満たされているとき、開放および係止解除されたままであり得る。所定の条件が、最初に弁を開放するために満たされると、弁は、条件のうちの１つ以上のものが、もはや満たされていない場合であっても、開放したままであることが可能である。例えば、ユーザは、弁を開放するために、本明細書に説明されるように、自身の上唇をセンサの内側リング上に設置し、自身の下唇をセンサの外側リング上に設置することができる。しかしながら、ユーザが、センサの内側リングから自身の上唇を除去するが、センサの外側リング上に自身の下唇を保つ場合、弁は、依然として、開放および係止解除されたままであり得る。種々の事例では、条件のうちの１つが、満たされるとき、弁を開放および係止解除位置に保つように容器をプログラムすることが、可能性として考えられる。そのような条件は、種々の顧客の必要性／選好に従ってプログラム可能である。
【０１３６】
種々の事例では、スマート容器は、タイマを含むことができ、容器の弁は、具体的持続時間にわたって開放／係止解除位置に留まるようにプログラムされることができる。種々の事例では、容器の弁は、具体的量の液体が、分注されるまで、開放／係止解除位置に留まるようにプログラムされることができる。分注される具体的量の液体は、本明細書に説明される種々のセンサを通して監視されることができる。そのような補助特徴は、弁が、係止解除されている間、ユーザが、開口部を通して具体的量の液体を得ることを可能にする。
【０１３７】
種々の事例では、容器の弁は、ユーザが、飲料を飲み終わった後、ある時間周期にわたって開放したままであるようにプログラムされることができる。制御システムは、例えば、タッチセンサが、もはやアクティブではないとき等、任意の好適な様式でユーザが飲料を飲み終わったと判定することができる。そのような遅延される弁閉鎖は、ユーザが、飲料を飲み終わった後、液体が、流体流路に沿って、内部空洞の中に戻ることを可能にする。
【０１３８】
種々の事例では、弁アセンブリは、センサが、容器が保持されている角度が、ユーザに対して不適切であることを検出することに応答して、閉鎖するように構成される。言い換えると、弁アセンブリは、容器の角度が、「間違った方向」に進んでいる場合、迅速に閉鎖することができる。ユーザが飲み物を飲んだ後に容器を上に傾斜させる代わりに、ユーザは、容器を横たえ得る（すなわち、水平に）。弁アセンブリは、容器の内容物の溢流を回避するために、閉鎖されるように構成される。
【０１３９】
種々の事例では、容器は、蓋部分および／または容器が、表面上に下に設置されると切り替えられる、ブレーカを備える。ブレーカは、例えば、圧力センサおよび／または容量性センサ等、容器が表面上に下置されたことを感知することが可能な任意のものであり得る。
【０１４０】
種々の事例では、飲料を飲む前および／またはその間、圧力が、容器の内部空洞から解放されることができる。圧力の解放は、蓋部分内に画定される小さい開口部または別個の圧力解放弁を通して行われることができる。圧力が、容器内で高すぎる場合、制御システムは、開放および／または係止解除されないように弁システムを遮断することができる。これは、容器の内容物が容器から外に飛散することを回避するために良好であり得る。圧力が、高すぎる事例では、制御された緩慢解放モードが、自動的に制御システムによって、および／または手動ユーザ入力を通してアクティブ化されることができる。種々の事例では、容器は、これが、垂直に配向されると蒸気を放出するように構成される。容器が、傾斜される、および／または水平に位置付けられる場合、蒸気通気孔は、閉鎖されるように構成される。
【０１４１】
所定の角度が、容器の内容物が、容器の開口部を通して、分注を開始する、および／または容器から流出するべきときに関して規定されることができる。液体が外に出ることを可能にされる制御された角度はまた、存在する液体の量の変数または液体／容器の重量等の動的なものであり得る。種々の事例では、容器は、容器内に残る液体の量にかかわらず、液体が毎回同一の角度で分注されることを可能にするように構成される。そのような事例では、本体部分は、液体が容器から分注される際に上向きに移動し、分注角度を維持するように構成される、移動可能部材を備える。
【０１４２】
種々の事例では、弁は、開口部の上の、および／またはそれを通して流動する液体を検出するように構成される、センサを備える。センサが、液体が依然として流動している、または容器の中に逆流しようとしていることを検出する場合、制御システムは、液体が、依然としてある容量において流動している間、弁が開放されたままであることを可能にするようにプログラムされることができる。そのようなセンサは、種々の方法で流体流を制御するために使用されることができる。センサは、流体が、容器の中に逆流することを可能にし、センサは、制御システムが、弁を通して流動している液体の量を推定することを可能にする。そのような推定値は、ユーザが飲んでいる液体の量に対応し得る。
【０１４３】
種々の事例では、容器は、ユーザが飲み物を飲み終わった後の長い持続時間を、開口部の上の、および／またはそれを通して流動する液体を検出するように構成されるセンサと組み合わせることができる。そのような事例では、弁は、開口部の上に、可能性として、容器の中に逆流する液体が存在する間、開放されることができる。プログラムされた、または機械的に構成された、最大許容開放時間において、制御プログラムは、閉鎖および／または係止するように弁にコマンドする。これは、ユーザが、飲み物を飲み終わった後、液体が、依然として容器の中に逆流している間、弁が開放することを可能にする一方、また、液体が、依然として存在する場合であっても、弁が閉鎖しなければならないときに関する時間限界を設定する。最大時間限界は、ユーザが、長い待機時間が存在する場合であっても、液体が、逆流しないような角度において容器を保持している場合がある事例において有益である。種々の事例では、容器は、例えば、ジャイロスコープ等、角度を測定するように構成されるセンサを備える。そのような事例では、弁は、容器が、液体が留まり、容器の中に逆流しないであろうような角度にある場合、測定された角度に基づいて、閉鎖されることができる。角度が、液体が、再び開口部から流出し得るように増加する場合、弁は、閉鎖することができる。種々の事例では、ユーザが、再び容器内の液体にアクセスすることを所望する場合、ユーザは、容器の機能性を係止解除するように要求される。種々の事例では、容器は、蓋部分の開口部における液体を感知するためのセンサが、液体の感知を停止した後、具体的量の時間が、経過した後に、弁を閉鎖するように構成される。
【０１４４】
種々の事例では、制御プログラムは、弁の位置に基づいて、コマンドを発行することができる。ソレノイド解決策を使用するときにコアに関する位置センサの助けによって、状態および／または位置を変更するための以前の試みが、失敗した場合、再び弁を開放および／または閉鎖することが、可能である。種々の事例では、弁が、偶発的に押し開かれた場合、これは、自動的に閉鎖するように構成されることができる。本明細書に議論される容器の全てのアクティブ化される機能性は、手動オーバーライドを有することができる。
【０１４５】
図２９および３０は、スマート容器１２００を描写する。スマート容器１２００は、本体部分１２２０に接続される、蓋部分１２１０を備える。蓋部分１２１０はさらに、開放構成および閉鎖構成に構成可能である、弁アセンブリ１２３０を備える。弁アセンブリ１２３０が、開放構成にあるとき、開口部１２４０が、蓋部分１２１０と弁アセンブリ１２３０との間に画定され、容器の内容物が分注されることを可能にする。スマート容器１２００は、本明細書に開示される他のスマート容器の機能性を備えるように構成される。
【０１４６】
図３１−３３を参照すると、シリコーンリング１３００が、蓋部分１３５０の一部のねじ山内に受容されるように構成される。シリコーンリング１３００は、シリコーンリング１３００が変位した状態にならないように防止するために、蓋部分１３５０のねじ山の間にスナップ嵌合されるように構成される。種々の事例では、シリコーンリング１３００は、蓋部分１３５０と容器の本体部分との間に付加的シールを提供し、容器の内容物が漏出することを防止する。
【０１４７】
図３４−３８は、スマート容器の代替ラッチ接続機構を図示する。図３４は、閉鎖または係止構成における弁アセンブリ１４３２のラッチ接続機構の部分断面図である。係止部材１４３４は、上側軌道１４１２によって画定される歯と係合する。着目すべきこととして、係止部材１４３４は、下側軌道１４１４と界面接触しない。弁アセンブリ１４３２が開放または係止解除構成に移動するために、係止部材１４３４、したがって、弁アセンブリ１４３２は、最初に、図３５に示されるように下向きに移動される。係止部材１４３４は、上側軌道１４１２によって画定される歯との接触から外れるように移動され、下側軌道１４１４によって画定される歯と係合するように移動される。本明細書に説明される後退可能ペン実施例と同様に、係止部材１４３４は、図３４に描写される位置と図３５に描写される位置との間で小刻みに揺動することが可能である。図３６に描写されるように、係止部材１４３４は、下側軌道１４１４の歯によって画定される経路に沿って回転することによって、開放または係止解除構成に向かって進む。着目すべきこととして、係止部材１４３４は、依然として、下側軌道１４１４と接触している。図３７および３８に示されるような開放または係止解除構成に到達するために、係止部材１４３４は、次いで、上側軌道１４１２の歯と下側軌道１４１４の歯との間で係止係合するように回転される。上側軌道１４１２および下側軌道１４１４は、容器の蓋部分および／または本体部分の内面上にあるものとして描写されるが、軌道１４１２、１４１４は、任意の好適な表面上に位置付けられることができる。例えば、軌道１４１２、１４１４は、弁アセンブリのストッパおよび／またはプランジャの上方ならびに／もしくは下方に位置することができる。付勢部材が、弁アセンブリの一部に対して付勢される。弁アセンブリは、弁アセンブリを閉鎖位置に付勢する、持続的ばね力を備える。本明細書により詳細に説明されるように、モータが、弁を開放するために、例えば、弁を押し開くスロープを伴うスロットを回転させることによって、弁の開口部を作動させるために、多くの方法で使用されることができる。
【０１４８】
図３９−４５は、スマート容器の代替ラッチ接続機構１５００を図示する。図３９は、ラッチ接続機構１５００のコンポーネントの部分断面図である。ラッチ接続機構１５００は、容器の蓋部分１５１２と統合される。ラッチ接続機構１５００は、蓋部分１５１２の筐体に固定される、モータ１５０１を備え、モータ１５０１のシャフト１５０３は、上側ラッチ部分１５０５の中に延在する。上側ラッチ部分１５０５の実施例が、図４０に示される。ラッチ接続機構１５００はさらに、下側ラッチ部分１５０９を備え、その実施例が、図４１に示される。プランジャ１５１３および／またはストッパが、下側ラッチ部分１５０９に動作可能に結合され、プランジャ１５１３は、弁アセンブリが、閉鎖構成にあるとき、容器の内容物が分注されないように防止する。例えば、ばね等の付勢手段１５０７が、下側ラッチ部分１５０９、したがって、プランジャ１５１３を上側ラッチ接続部分１５０５に向かって、かつそれから離れるように付勢する。
【０１４９】
上記に説明されるように、図４０は、ラッチ接続アセンブリ１５００の上側ラッチ部分１５０５の斜視図である。上側ラッチ部分１５０５は、基部の円周の周囲に画定される、種々の溝１５０６Ａ、１５０６Ｂおよび／または窪みを備える。図４１は、ラッチ接続アセンブリ１５００の下側ラッチ部分１５０９の斜視図である。下側ラッチ部分１５０９は、下側ラッチ部分１５０９の内周から突出する、種々のランプ１５１０Ａ、１５１０Ｂを備える。種々のランプ１５１０Ａ、１５１０Ｂは、下側ラッチ部分１５０９および上側ラッチ部分１５０５が、相互に対して回転する際、上側ラッチ部分１５０５の種々の溝１５０６Ａ、１５０６Ｂおよび／または窪み内に受容されるように構成される。下側ラッチ部分１５０９はさらに、図４２に示されるようなスマート容器の蓋部分１５１２の部分１５１２Ａに係合するように構成される、係止ピン１５１１を備える。係止ピン１５１１が、蓋部分１５１２に係合すると、下側ラッチ部分１５０９は、さらに回転することを防止される。
【０１５０】
図４３−４５は、弁アセンブリが閉鎖構成から開放構成に平行移動される際のラッチ接続機構１５００を図示する。図４３は、閉鎖または係止構成におけるラッチ接続機構１５００を表す。ラッチ接続機構１５００が、閉鎖構成にあるとき、下側ラッチ部分１５０９のランプ１５１０Ａ、１５１０Ｂは、上側ラッチ部分１５０５の溝１５０６Ａ、１５０６Ｂとの整合から外れる、および／またはその中に受容されない。図４４は、部分的開放または係止解除構成におけるラッチ接続機構１５００を表す。ラッチ接続機構１５００は、モータ１５０１が、相互に対して下側ラッチ部分１５０９および上側ラッチ部分１５０５のうちの少なくとも一方の回転を引き起こすにつれて、開放構成に遷移し始める。図４４に見られるように、弁アセンブリは、下側ラッチ部分１５０９のランプ１５１０Ａ、１５１０Ｂが、上側ラッチ部分１５０５の溝１５０６Ａ、１５０６Ｂと整合し始めるにつれて、開放し始める。図４５は、開放構成におけるラッチ接続機構１５００を表す。着目すべきこととして、下側ラッチ部分１５０９のランプ１５１０Ａ、１５１０Ｂは、上側ラッチ部分１５０５の溝１５０６Ａ、１５０６Ｂと完全に整合される、および／またはその中に受容される。種々の事例では、ユーザは、例えば、電源が、モータ１５０１を起動するための電力をそれ以上有していない場合、弁アセンブリを手動で開放および／または閉鎖することができる。
【０１５１】
図４６は、スマート容器との併用のためのラッチ接続機構１６００の部分断面図である。第１のラッチ接続機構１６１０は、スマート容器の蓋部分内に固定される、モータを備える。モータは、シャフトを備え、シャフトは、ギヤにおいて終端する。ラッチ接続機構はさらに、モータシャフトのギヤと動作可能に接続する、ギヤ軌道を備える。モータが、第１の方向に回転する際、ギヤは、弁アセンブリのプランジャおよび／またはストッパを閉鎖構成から開放構成に向かって移動させる。モータが、第１の方向と対向する第２の方向に回転する際、ギヤは、弁アセンブリのプランジャおよび／またはストッパを開放構成から閉鎖構成に向かって移動させる。種々の事例では、第２のラッチ接続機構１６２０は、ねじ山付きコアにおいて終端する、モータシャフトを備え、ねじ山付きコアは、ねじ山付きプランジャおよび／またはストッパに動作可能に結合される。モータが、ねじ山付きコアに通電する際、プランジャおよび／またはストッパは、開放構成と閉鎖構成との間で移動される。
【０１５２】
種々の事例では、スマート容器は、本明細書により詳細に説明されるように、タッチセンサを備える。ユーザは、制御システムに、弁アセンブリが開放されないように防止させるために、特定のパターンにおいてユーザの指をスワイプすることが可能である。そのような機構は、ユーザが、バックパック等のバッグ内に容器を設置するときに有益である。ユーザは、弁アセンブリを係止し、容器の内容物の偶発的溢流を回避することが可能である。
【０１５３】
種々の事例では、本明細書に説明される容器は、感知された条件をユーザに通信するように構成される、１つ以上のインジケータを備える。例えば、容器は、蓋部分上にディスプレイ画面を備えることができる。制御システムは、ディスプレイ画面に、本体部分内に残っている液体の量を示させるように構成される。種々の事例では、容器は、本体部分の高さに沿って複数のインジケータを備える。例えば、ＬＥＤが、含有される内容物の現在のレベルに基づいて、照明することができる。容器は、容器が満杯であることをユーザに通信するように構成される、インジケータを備えることができる。そのようなインジケータは、容器の過剰充填を回避するために有用である。容器内に残っている内容物の量を表示することに加えて、視覚インジケータは、加えて、容器内の内容物のタイプを通信することができる。容器は、光または別の好適な記号的方法を用いて、弁アセンブリが開放および／または閉鎖されているときを示す、光インジケータを備えることができる。種々の事例では、容器は、弁アセンブリの開放および／または閉鎖を示す音を放出することができる。そのような音は、人工的に誘発されることができる。
【０１５４】
種々の事例では、容器は、蓋部分が、容器の本体部分に適切に、および／または完全に取り付けられていることを確認するように構成される、センサを備える。例えば、誘導センサが、蓋部分が、本体部分上に完全に螺合されている、および／または別様に本体部分に接続されているかどうかをチェックするために使用されることができる。容量性センサ等の他のセンサも、弁アセンブリおよび／またはピンの場所を検出するために使用されることができる。圧力センサが、シールの表面上で使用されることができる。
【０１５５】
種々の事例では、容器は、弁アセンブリが、正しく、および／または完全に閉鎖されていることを確認するように構成される、センサを備える。センサが、弁アセンブリが不適切に閉鎖していることを検出する場合、制御システムは、再度閉鎖するように弁アセンブリに指示することができる。制御システムは、センサから受信されたフィードバックに基づいて、電力設定を変動させることが可能である。
【０１５６】
種々の事例では、スマートフォンおよび／または遠隔デバイスが、容器の現在および／または以前の状態を表示するように構成される。例えば、容器の現在の状態は、スマートフォン上の通知ウィンドウ内に取り込まれることができる。
【０１５７】
種々の事例では、容器と、例えば、ユーザのスマートフォン等のデバイスとの間の距離が、容器上に示されることができる。例えば、Ｂｌｕｅｔｏｏｔｈ（登録商標）接続が、ユーザのスマートフォンと容器との間にあり得る。制御システムは、次いで、ボトルと、ユーザのスマートフォンの最後の既知の場所との間の距離を、容器の任意の好適な部分上に表示させることができる。制御システムは、容器とデバイスとの間の距離が、増加するとき、ユーザに警告するように構成される。例えば、制御システムは、ユーザが、容器から離れて所定の距離を歩いたとき、ユーザに通知を送信するように構成される。例えば、ユーザ（およびデバイス）が、容器から１０メートルを上回って離れているとき、ユーザが容器を忘れたことをユーザに知らせるために、通知が、ユーザに送信されるであろう。制御システムが、ユーザが、自宅および／またはオフィス等の所定の場所を除く場所にいるときのみ、ユーザに通知するように、付加的パラメータが、ユーザによって設定および／またはカスタマイズされることができる。種々の事例では、「ｉＰｈｏｎｅ（登録商標）を探す」に類似する「容器を探す」アプリケーションが、紛失された容器を位置特定するためにスマートフォン上で使用されることができる。
【０１５８】
種々の事例では、充電能力を伴うカップホルダが、本明細書に説明される容器と併用される。カップホルダは、下方、側方、および／または任意の他の好適な場所から容器の電子機器を充電することができる。容器が、充電しているとき、制御システムは、閉鎖構成において弁アセンブリを維持する、および／または弁アセンブリが開放構成に遷移することを防止することができる。例えば、容器が、蓋部分において無線で充電されている場合、制御システムは、弁アセンブリが、蓋部分が充電しているときに開放しないであろうように、蓋部分が、充電器と関連付けられる間、閉鎖構成において弁アセンブリを自動的に維持することができる。
【０１５９】
種々の事例では、容器は、容器の内容物を混合する、掻き回す、および／または攪拌するように構成される、電子ミキサを備える。
【０１６０】
種々の事例では、容器の制御アセンブリは、容器から分注される、したがって、ユーザによって摂取されることを可能にされる物質の量を制御することができる。種々の事例では、容器は、容器から分注された物質の合計量を追跡し、ユーザが摂取するべき物質の標的および／または規定量を追跡するように構成される。制御システムは、ユーザが、所定の時間周期内に所定の量の物質を摂取しようとしていないとき、ユーザにアラートするように構成される。容器は、容器の検出された内容物に基づいて、所定の量の内容物を分注するように構成されることができる。
【０１６１】
スマート容器は、種々の環境およびシナリオにおいて有用である。種々の事例では、本明細書に開示されるスマート容器等のスマート容器は、容器が、ユーザが容器の内容物を注ごうと試みていることを検出するときのみ、容器の内容物がそれを通して流動することを可能にする、蓋部分を備える。そのようなスマート容器の使用は、容器が、例えば、危険および／または有害な液体を保管している状況において有利である。実験室設定では、種々の化学物質が、容器内に保管される。スマート容器は、容器の内容物が分注されることが可能であるために、容器が所定の条件を感知することを要求することによって、実験室内の人物の健康および／または安全に対する脅威を防止することができる。種々の事例では、スマート容器から外への内容物の流出は、スマート容器のセンサシステムが、例えば、認可されたユーザの指紋またはタッチを検出するまで、防止されることができる。
【０１６２】
本明細書に説明されるスマート容器は、容器の内容物の溢流をもたらす事故を低減させることに役立つことができる。種々の事例では、本明細書に説明されるスマート容器は、蓋が、容器の本体部分と接触する、および／またはそれから特定の距離内にあるとき、磁気誘引を通して係止構成に付勢される、自動的蓋を備える。例えば、蓋部分は、第１の磁石を備え、本体部分は、第２の磁石を備える。第２の磁石は、第１の磁石を引き付ける誘引性磁場を生産し、蓋部分が、本体部分と係止係合するように引き寄せられることをもたらす。そのようなスマート容器の使用は、実験室における容器内でのイソプロパノールの保管等の状況において有利である。例えば、時間を節約しようとして、イソプロパノールの以前のユーザが、これをその係止係合状態に螺合することなく、イソプロパノール容器上に戻すように蓋を設置するだけである場合がある。本明細書に議論される自動化蓋部分を使用すると、ユーザは、実験を中止し、時間をかけて容器上に蓋を引締することを気に掛ける必要性がない。
【０１６３】
いくつかの形態が、例証および説明されているが、添付される請求項の範囲をそのような詳細に制限または限定することは、本出願人の意図ではない。それらの形態に対する多数の修正、変形例、変更、代用、組み合わせ、および均等物が、実装されてもよく、本開示の範囲から逸脱することなく、当業者に想起されるであろう。さらに、説明される形態と関連付けられる各要素の構造は、代替として、要素によって実施される機能を提供するための手段として説明されることができる。また、材料が、あるコンポーネントに関して開示される場合、他の材料が、使用されてもよい。したがって、前述の説明および添付される請求項が、開示される形態の範囲内に該当するような全てのそのような修正、組み合わせ、および変形例を網羅することを意図していることを理解されたい。添付される請求項は、全てのそのような修正、変形例、変更、代用、修正、および均等物を網羅することを意図している。
【０１６４】
前述の詳細な実施形態は、ブロック図、フローチャート、および／または実施例の使用を介して、本デバイスおよび／またはプロセスの種々の形態を記載している。そのようなブロック図、フローチャート、および／または実施例が、１つ以上の機能ならびに／もしくは動作を含有する限りにおいて、そのようなブロック図、フローチャート、および／または実施例内の各機能ならびに／もしくは動作が、広い範囲のハードウェア、ソフトウェア、ファームウェア、または事実上それらの任意の組み合わせによって、個々に、および／または集合的に実装され得ることが、当業者によって理解されるであろう。当業者は、本明細書に開示される形態のいくつかの側面が、全体的または部分的に、１つ以上のコンピュータ上で起動する１つ以上のコンピュータプログラムとして（例えば、１つ以上のコンピュータシステム上で起動する１つ以上のプログラムとして）、１つ以上のプロセッサ上で起動する１つ以上のプログラムとして（例えば、１つ以上のマイクロプロセッサ上で起動する１つ以上のプログラムとして）、ファームウェアとして、または事実上それらの任意の組み合わせとして集積回路内で同等に実装され得、回路を設計することおよび／またはソフトウェアならびに／もしくはファームウェアに関するコードを記述することが、本開示に照らして、明確に当業者の技能内であろうことを認識するであろう。加えて、当業者は、本明細書に説明される主題の機構が、種々の形態における１つ以上のプログラム製品として配布されることが可能であり、本明細書に説明される主題の例証的形態が、配布を実際に実行するために使用される信号担持媒体の特定のタイプにかかわらず、適用されることを理解するであろう。
【０１６５】
種々の開示される側面を実施するための論理をプログラムするために使用される命令は、ダイナミックランダムアクセスメモリ（ＤＲＡＭ）、キャッシュ、フラッシュメモリ、または他の記憶装置等の本システム内のメモリ内に記憶されることができる。さらに、命令は、ネットワークを介して、または他のコンピュータ可読媒体を用いて配布されることができる。したがって、機械可読媒体は、限定ではないが、フロッピー（登録商標）ディスケット、光学ディスク、コンパクトディスク、読取専用メモリ（ＣＤ−ＲＯＭ）、および磁気光学ディスク、読取専用メモリ（ＲＯＭ）、ランダムアクセスメモリ（ＲＡＭ）、消去可能プログラマブル読取専用メモリ（ＥＰＲＯＭ）、電気的消去可能プログラマブル読取専用メモリ（ＥＥＰＲＯＭ）、磁気または光学カード、フラッシュメモリ、または電気的、光学的、音響的、もしくは他の形態の伝搬信号（例えば、搬送波、赤外線信号、デジタル信号等）を介したインターネットを経由する情報の伝送において使用される有形機械可読記憶装置等、機械（例えば、コンピュータ）によって可読である形態において情報を記憶または伝送するための任意の機構を含んでもよい。故に、非一過性コンピュータ可読媒体は、機械（例えば、コンピュータ）によって可読である形態において電子命令または情報を記憶もしくは伝送するために好適な任意のタイプの有形機械可読媒体を含む。
【０１６６】
本明細書の任意の側面において使用されるように、用語「制御回路」は、例えば、有線回路、プログラマブル回路（例えば、１つ以上の個々の命令処理コア、処理ユニット、プロセッサ、マイクロコントローラ、マイクロコントローラユニット、コントローラ、デジタル信号プロセッサ（ＤＳＰ）、プログラマブル論理デバイス（ＰＬＤ）、プログラマブル論理アレイ（ＰＬＡ）、またはフィールドプログラマブルゲートアレイ（ＦＰＧＡ）を含むコンピュータプロセッサ）、状態マシン回路、プログラマブル回路によって実行される命令を記憶するファームウェア、およびそれらの任意の組み合わせを指し得る。制御回路は、集合的に、または個々に、より大きいシステムの一部を形成する回路、例えば、集積回路（ＩＣ）、特定用途向け集積回路（ＡＳＩＣ）、システムオンチップ（ＳｏＣ）、デスクトップコンピュータ、ラップトップコンピュータ、タブレットコンピュータ、サーバ、スマートフォン等として具現化されてもよい。故に、本明細書に使用されるように、「制御回路」は、限定ではないが、少なくとも１つの離散電気回路を有する電気回路、少なくとも１つの集積回路を有する電気回路、少なくとも１つの特定用途向け集積回路を有する電気回路、コンピュータプログラムによって構成される汎用コンピューティングデバイス（例えば、少なくとも部分的に、本明細書に説明されるプロセスおよび／またはデバイスを実行するコンピュータプログラムによって構成される汎用コンピュータ、もしくは少なくとも部分的に、本明細書に説明されるプロセスおよび／またはデバイスを実行するコンピュータプログラムによって構成されるマイクロプロセッサ）を形成する電気回路、メモリデバイス（例えば、ランダムアクセスメモリの形態）を形成する電気回路、ならびに／もしくは通信デバイス（例えば、モデム、通信スイッチ、または光電気機器）を形成する電気回路を含む。当業者は、本明細書に説明される主題が、アナログまたはデジタル方式もしくはそれらのある組み合わせにおいて実装され得ることを認識するであろう。
【０１６７】
本明細書の任意の側面において使用されるように、用語「論理」は、前述の動作のうちのいずれかを実施するように構成されるアプリ、ソフトウェア、ファームウェア、および／または回路を指し得る。ソフトウェアは、ソフトウェアパッケージ、コード、命令、命令セット、および／または非一過性コンピュータ可読記憶媒体上に記録されたデータとして具現化されてもよい。ファームウェアは、コード、命令または命令セット、ならびに／もしくはメモリデバイス内のハードコーディングされた（例えば、不揮発性の）データとして具現化されてもよい。
【０１６８】
本明細書の任意の側面において使用されるように、用語「コンポーネント」、「システム」、「モジュール」、および同等物は、ハードウェア、ハードウェアおよびソフトウェアの組み合わせ、ソフトウェア、または実行中のソフトウェアのいずれかのコンピュータ関連エンティティを指し得る。
【０１６９】
本明細書の任意の側面において使用されるように、「アルゴリズム」は、所望の結果につながるステップの自己矛盾のないシーケンスを指し、「ステップ」は、必ずしも必要ではないが、記憶される、転送される、組み合わせられる、比較される、および別様に操作されることが可能な電気または磁気信号の形態をとり得る、物理量および／または論理状態の操作を指す。これらの信号をビット、値、要素、記号、文字、用語、数字、または同等物と称することが、一般的な使用法である。これらおよび類似する用語は、適切な物理量と関連付けられ得、単に、これらの量および／または状態に適用される便宜的な標識である。
【０１７０】
ネットワークは、パケット交換ネットワークを含んでもよい。通信デバイスは、選択されたパケット交換ネットワーク通信プロトコルを使用して、相互に通信することが可能であり得る。１つの例示的通信プロトコルは、伝送制御プロトコル／インターネットプロトコル（ＴＣＰ／ＩＰ）を使用して通信を可能にすることが可能であり得る、イーサネット（登録商標）通信プロトコルを含んでもよい。イーサネット（登録商標）プロトコルは、「ＩＥＥＥ  ８０２．３  Ｓｔａｎｄａｒｄ」と題され、２００８年１２月に発行された、米国電気電子学会（ＩＥＥＥ）によって発行されたイーサネット（登録商標）規格および／または本規格の以降のバージョンに準拠する、またはそれと互換性があり得る。代替として、または加えて、通信デバイスは、Ｘ．２５通信プロトコルを使用して、相互に通信することが可能であり得る。Ｘ．２５通信プロトコルは、国際電気通信連合電気通信標準化部門（ＩＴＵ−Ｔ）によって公布された規格に準拠する、またはそれと互換性があり得る。代替として、または加えて、通信デバイスは、フレームリレー通信プロトコルを使用して、相互に通信することが可能であり得る。フレームリレー通信プロトコルは、国際電信電話諮問委員会（ＣＣＩＴＴ）および／または米国規格協会（ＡＮＳＩ）によって公布された規格に準拠する、またはそれと互換性があり得る。代替として、または加えて、送受信機は、非同期転送モード（ＡＴＭ）通信プロトコルを使用して、相互に通信することが可能であり得る。ＡＴＭ通信プロトコルは、「ＡＴＭ−ＭＰＬＳ  Ｎｅｔｗｏｒｋ  Ｉｎｔｅｒｗｏｒｋｉｎｇ  ２．０」と題され、２００１年８月に発行された、ＡＴＭフォーラムによって発行されたＡＴＭ規格および／または本規格の以降のバージョンに準拠する、またはそれと互換性があり得る。当然ながら、異なるおよび／または後で開発された接続指向ネットワーク通信プロトコルも、本明細書において等しく検討される。
【０１７１】
前述の開示から明白であるように別様に具体的に記載されない限り、前述の開示全体を通して、「〜を処理する」、「〜を算出する」、「〜を計算する」、「〜を判定する」、「〜を表示する」、または同等物等の用語を使用する議論は、コンピュータシステムのレジスタおよびメモリ内の物理（電子）量として表されるデータを操作し、コンピュータシステムメモリまたはレジスタもしくは他のそのような情報記憶、伝送、または表示デバイス内の物理量として同様に表される他のデータに変換する、コンピュータシステムまたは類似する電子コンピューティングデバイスのアクションおよびプロセスを指すことを理解されたい。
【０１７２】
１つ以上のコンポーネントは、「〜するように構成される」、「〜するように構成可能である」、「〜するように動作可能である／動作する」、「〜するように適合される／適合可能である」、「〜することが可能である」、「〜するように適応可能である／適応される」等として本明細書に言及され得る。当業者は、文脈が別様に要求しない限り、「〜するように構成される」が、概して、アクティブ状態コンポーネントおよび／または非アクティブ状態コンポーネントならびに／もしくはスタンバイ状態コンポーネントを包含し得ることを認識するであろう。
【０１７３】
便宜上、および明確化のために、「垂直」、「水平」、「上」、および「下」等の空間用語が、図面に関して本明細書に使用され得る。しかしながら、容器は、多くの配向および位置において使用され、これらの用語は、限定的および／または絶対的であることを意図していない。
【０１７４】
当業者は、一般に、本明細書に、特に、添付される請求項（例えば、添付される請求項の本文）に使用される用語が、概して、「非制限」用語として意図される（例えば、用語「〜を含む（ｉｎｃｌｕｄｉｎｇ）」は、「限定ではないが、〜を含む（ｉｎｃｌｕｄｉｎｇ  ｂｕｔ  ｎｏｔ  ｌｉｍｉｔｅｄ  ｔｏ）」として解釈されるべきであり、用語「〜を有する（ｈａｖｉｎｇ）」は、「少なくとも〜を有する（ｈａｖｉｎｇ  ａｔ  ｌｅａｓｔ）」として解釈されるべきであり、用語「〜を含む（ｉｎｃｌｕｄｅｓ）」は、「限定ではないが、〜を含む（ｉｎｃｌｕｄｅｓ  ｂｕｔ  ｉｓ  ｎｏｔ  ｌｉｍｉｔｅｄ  ｔｏ）」として解釈されるべきである等となる）ことを認識するであろう。具体的な数の導入される請求項列挙が、意図される場合、そのような意図は、請求項内に明示的に列挙され、そのような列挙の不在下では、いかなるそのような意図も、存在しないことが、当業者によってさらに理解されるであろう。例えば、理解の一助として、以下の添付される請求項は、請求項列挙を導入するための導入語句「少なくとも１つ」および「１つ以上の」の使用を含有し得る。しかしながら、そのような語句の使用は、同一の請求項が、導入語句「１つ以上の」または「少なくとも１つ」および「ａ」または「ａｎ」等の不定冠詞（例えば、「ａ」および／または「ａｎ」は、典型的には、「少なくとも１つ」または「１つ以上の」を意味するように解釈されるべきである）を含むときであっても、不定冠詞「ａ」または「ａｎ」による請求項列挙の導入が、そのような導入される請求項列挙を含有する任意の特定の請求項を、１つのそのような列挙のみを含有する請求項に限定することを含意するように解釈されるべきではなく、同じことが、請求項列挙を導入するために使用される、定冠詞の使用に当てはまる。
【０１７５】
加えて、具体的な数の導入される請求項列挙が、明示的に列挙される場合であっても、当業者は、そのような列挙が、典型的には、少なくとも列挙される数を意味する（例えば、他の修飾語句を伴わない「２つの列挙」のそのままの列挙は、典型的には、少なくとも２つの列挙または２つ以上の列挙を意味する）ように解釈されるべきであることを認識するであろう。さらに、「Ａ、Ｂ、およびＣ等のうちの少なくとも１つ」に類似する表記法が、使用されるそれらの事例では、一般に、そのような構造は、当業者がその表記法を理解するであろう意味において意図される（例えば、「Ａ、Ｂ、およびＣのうちの少なくとも１つを有するシステム」は、限定ではないが、Ａを単独で、Ｂを単独で、Ｃを単独で、Ａと、Ｂとをともに、Ａと、Ｃとをともに、Ｂと、Ｃとをともに、ならびに／もしくはＡと、Ｂと、Ｃとをともに有する等であるシステムを含む）。「Ａ、Ｂ、またはＣのうちの少なくとも１つ等」に類似する慣例が、使用されるそれらの事例では、一般に、そのような構造は、当業者が慣例を理解するであろう意味において意図される（例えば、「Ａ、Ｂ、またはＣのうちの少なくとも１つを有するシステム」は、限定ではないが、Ａのみ、Ｂのみ、Ｃのみ、ＡおよびＢをともに、ＡおよびＣをともに、ＢおよびＣをともに、ならびに／もしくはＡ、Ｂ、およびＣをともに有するシステムを含み、以下同様であろう）。典型的には、説明、請求項、または図面を問わず、２つ以上の代替用語を提示する離接的単語および／または語句は、文脈が別様に示さない限り、用語のうちの１つ、用語のうちのいずれか、または両方の用語を含む可能性を検討するように理解されるべきであることが、当業者によってさらに理解されるであろう。例えば、語句「ＡまたはＢ」は、典型的には、「Ａ」または「Ｂ」もしくは「ＡおよびＢ」の可能性を含むように理解されるであろう。
【０１７６】
添付される請求項に関して、当業者は、それにおいて列挙される動作が、概して、任意の順序で実施され得ることを理解するであろう。また、種々の動作フロー図が、あるシーケンスで提示されるが、種々の動作は、図示されるもの以外の他の順序で実施され得る、または並行して実施され得ることを理解されたい。そのような代替順序付けの実施例は、文脈が別様に示さない限り、重複する、差し挟まれる、中断される、再順序付けされる、増分の、準備の、補足の、同時の、逆の、または他の変形順序付けを含み得る。さらに、「〜に応答する」、「〜に関連する」、または他の過去形形容詞のような用語は、概して、文脈が別様に示さない限り、そのような変形を除外することを意図していない。
【０１７７】
「一側面」、「ある側面」、「ある例示」、「一例示」、および同等物の任意の言及は、側面に関連して説明される特定の特徴、構造、または特性が、少なくとも１つの側面に含まれることを意味することに留意されたい。したがって、本明細書全体を通した種々の場所における語句「一側面では」、「ある側面では」、「ある例示では」、および「一例示では」の表出は、必ずしも、全てが同一の側面を指すわけではない。さらに、特定の特徴、構造、または特性は、１つ以上の側面において任意の好適な様式で組み合わせられ得る。
【０１７８】
本明細書に言及される、および／または任意の出願データシートに列挙される任意の特許出願、特許、非特許出版物、もしくは他の開示資料は、組み込まれる資料が、本明細書と矛盾しない範囲で、参照することによって本明細書に組み込まれる。したがって、必要な範囲で、本明細書に明示的に記載されるような開示は、参照することによって本明細書に組み込まれる任意の対立する資料に優先する。参照することによって本明細書に組み込まれると考えられるが、既存の定義、記述、または本明細書に記載される他の開示資料と対立する任意の資料またはその一部は、いかなる対立も、その組み込まれる資料と既存の開示資料との間に生じない範囲でのみ組み込まれるであろう。
【０１７９】
要約すると、本明細書に説明される概念を採用することからもたらされる、多数の利益が、説明されている。１つ以上の形態の前述の説明は、例証および説明の目的のために提示されている。開示される精密な形態に網羅的であること、または限定することは、意図していない。修正または変形例が、上記の教示に照らして、可能性として考えられる。１つ以上の形態は、原理および実践的用途を例証し、それによって、当業者が種々の形態を利用し、特定の使用に適しているような種々の修正が検討されることを可能にするために選定および説明された。本明細書とともに提出される請求項が、全体的範囲を定義することを意図している。
（項目１）
スマート容器であって、
本体と、
前記本体に取り付けられる蓋であって、前記蓋は、開放位置と閉鎖位置との間で移動可能な弁を備える、蓋と、
前記開放位置と前記閉鎖位置との間で前記弁を移動させるように構成されるアクチュエータと、
前記本体または前記蓋との接触を検出するように構成されるセンサと、
前記センサおよび前記アクチュエータに通信可能に結合される制御回路であって、前記制御回路は、
感知される条件を示す信号を前記センサから受信することと、
前記感知される条件が開放状態に対応するとき、前記アクチュエータに信号を送信することと
を行うように構成される、制御回路と
を備える、スマート容器。
（項目２）
前記感知される条件は、具体的個人の識別を含む、項目１に記載のスマート容器。
（項目３）
前記感知される条件は、ユーザによって打ち込まれるタッチパターンを含む、項目１に記載のスマート容器。
（項目４）
前記弁の移動を選択的に拘束するように構成される機械的ロックをさらに備える、項目１〜３のいずれか１項に記載のスマート容器。
（項目５）
前記本体に前記蓋を選択的に固着させるように構成される機械的ロックをさらに備える、項目１〜４のいずれか１項に記載のスマート容器。
（項目６）
前記制御回路は、プロセッサと、前記プロセッサに通信可能に結合されるメモリとを備える、項目１〜５のいずれか１項に記載のスマート容器。
（項目７）
前記制御回路は、所定の時間周期にわたって前記弁が前記開放位置から前記閉鎖位置に移動することを防止するようにさらに構成される、項目１〜６のいずれか１項に記載のスマート容器。
（項目８）
前記スマート容器の前記本体は、内容物を備え、前記制御回路は、所定の量の内容物が、前記スマート容器から分注されるまで、前記弁が前記開放位置から前記閉鎖位置に移動することを防止するようにさらに構成される、項目１〜７のいずれか１項に記載のスマート容器。
（項目９）
スマート容器であって、
本体部分と、
前記本体部分に除去可能に取り付けられる蓋部分であって、前記蓋部分は、開放構成および閉鎖構成に構成可能な弁アセンブリを備え、前記スマート容器の内容物は、前記弁アセンブリが前記開放構成にあるとき、前記スマート容器から流出することが可能であり、前記スマート容器の内容物は、前記弁アセンブリが前記閉鎖構成にあるとき、前記スマート容器から流出することができない、蓋部分と、
前記開放構成と前記閉鎖構成との間で前記弁アセンブリを移動させるように構成されるアクチュエータと、
ある条件を検出するように構成されるセンサと、
前記センサおよび前記アクチュエータと通信する制御システムであって、前記制御システムは、
前記検出される条件を示す第１の信号を前記センサから受信することと、
前記検出される条件が前記スマート容器の認可されたユーザに対応するとき、前記弁アセンブリを前記開放構成に促すための第２の信号を前記アクチュエータに送信することと
を行うように構成される、制御システムと
を備える、スマート容器。
（項目１０）
前記検出される条件は、具体的個人の識別を含む、項目９に記載のスマート容器。
（項目１１）
前記検出される条件は、ユーザによって打ち込まれるタッチパターンを含む、項目９に記載のスマート容器。
（項目１２）
前記弁アセンブリの移動を選択的に拘束するように構成される機械的ロックをさらに備える、項目９〜１１のいずれか１項に記載のスマート容器。
（項目１３）
前記本体部分に前記蓋部分を選択的に固着させるように構成される機械的ロックをさらに備える、項目９〜１２のいずれか１項に記載のスマート容器。
（項目１４）
前記制御システムは、所定の時間周期にわたって前記弁アセンブリが前記開放構成から前記閉鎖構成に遷移することを防止するようにさらに構成される、項目９〜１３のいずれか１項に記載のスマート容器。
（項目１５）
前記制御システムは、所定の量の内容物が前記スマート容器から分注されるまで、前記弁アセンブリが前記開放構成から前記閉鎖構成に遷移することを防止するようにさらに構成される、項目９〜１４のいずれか１項に記載のスマート容器。
（項目１６）
スマート容器であって、
その中に内容物を貯蔵するように構成される本体と、
前記本体に選択的に係止可能である蓋であって、前記蓋は、開放構成および閉鎖構成に構成可能な弁アセンブリを備え、前記スマート容器の前記内容物は、前記蓋が前記閉鎖構成にあるとき、前記スマート容器から外に分注することを防止される、蓋と、
前記開放構成と前記閉鎖構成との間で前記弁アセンブリを移動させるように構成されるアクチュエータと、
ユーザの特性を検出するように構成されるセンサと、
前記アクチュエータおよび前記センサと通信するコントローラであって、前記コントローラは、
前記検出される特性を表す信号を受信することと、
前記検出される特性が開放状態に対応するとき、前記弁アセンブリを前記開放構成に促すための信号を前記アクチュエータに送信することと
を行うように構成される、コントローラと
を備える、スマート容器。
（項目１７）
前記蓋部分を通して前記本体部分に向かって延在するストローをさらに備え、前記ストローは、センサと、自動的ポンプとを備え、前記ストローは、前記ユーザの特性が認証されると、前記スマート容器の前記内容物を前記ユーザに圧送するように構成される、項目１６に記載のスマート容器。
（項目１８）
前記アクチュエータは、ソレノイドを備える、項目１６〜１７のいずれか１項に記載のスマート容器。
（項目１９）
前記コントローラは、所定の時間周期にわたって前記弁アセンブリが前記開放構成から前記閉鎖構成に平行移動することを防止するようにさらに構成される、項目１６〜１８のいずれか１項に記載のスマート容器。
（項目２０）
前記コントローラは、所定の量の内容物が前記スマート容器から分注されるまで、前記弁アセンブリが前記開放構成から前記閉鎖構成に平行移動することを防止するようにさらに構成される、項目１６〜１９のいずれか１項に記載のスマート容器。
【図１】
2021533958.tif 000003
【図２】
2021533958.tif 000004
【図３】
2021533958.tif 000005
【図４】
2021533958.tif 000006
【図５】
2021533958.tif 000007
【図６】
2021533958.tif 000008
【図７】
2021533958.tif 000009
【図８】
2021533958.tif 000010
【図９】
2021533958.tif 000011
【図１０】
2021533958.tif 000012
【図１１】
2021533958.tif 000013
【図１２】
2021533958.tif 000014
【図１３】
2021533958.tif 000015
【図１４】
2021533958.tif 000016
【図１５】
2021533958.tif 000017
【図１６】
2021533958.tif 000018
【図１７】
2021533958.tif 000019
【図１８】
2021533958.tif 000020
【図１９】
2021533958.tif 000021
【図２０】
2021533958.tif 000022
【図２１】
2021533958.tif 000023
【図２２】
2021533958.tif 000024
【図２３】
2021533958.tif 000025
【図２４】
2021533958.tif 000026
【図２５】
2021533958.tif 000027
【図２６】
2021533958.tif 000028
【図２７】
2021533958.tif 000029
【図２８】
2021533958.tif 000030
【図２９】
2021533958.tif 000031
【図３０】
2021533958.tif 000032
【図３１】
2021533958.tif 000033
【図３２】
2021533958.tif 000034
【図３３】
2021533958.tif 000035
【図３４】
2021533958.tif 000036
【図３５】
2021533958.tif 000037
【図３６】
2021533958.tif 000038
【図３７】
2021533958.tif 000039
【図３８】
2021533958.tif 000040
【図３９】
2021533958.tif 000041
【図４０】
2021533958.tif 000042
【図４１】
2021533958.tif 000043
【図４２】
2021533958.tif 000044
【図４３】
2021533958.tif 000045
【図４４】
2021533958.tif 000046
【図４５】
2021533958.tif 000047
【図４６】
2021533958.tif 000048
【国際調査報告】
2021533958.tif 000049
2021533958.tif 000050
2021533958.tif 000051